(57)【要約】  本発明は、異なるＣＳＩ−ＲＳリソースに設定されるアンテナポート数が異なるため、ｅＮＢの復号複雑度、電力損失および復号ミスが増えるという従来技術の問題を解決するためのチャネル状態情報の伝送方法および装置を提供する。当該方法において、端末が、測定して得たＲＩに対応する参照信号伝送用リソースの番号指標であるＢＩとＲＩの統合符号化に使用され、異なる参照信号伝送用リソースに対応するＲＩとＢＩの統合符号化に同一のものが使用される第１ビット数を決定することと、第１ビット数に基づいて、測定して得たＲＩとＢＩの統合符号化を行って符号化情報を得、符号化情報を送信することとを含む。【選択図】  図３
2018534856.tif 000002
【特許請求の範囲】
【請求項１】
端末が、測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定することと、
前記端末が、前記第１ビット数に基づいて、測定して得たＲＩと前記ＢＩの統合符号化を行って符号化情報を得、前記符号化情報を送信することと、を含むチャネル状態情報ＣＳＩの送信方法。
【請求項２】
前記端末がビーム指標ＢＩとランク指標ＲＩの統合符号化に使用される第１ビット数を決定することは、
前記端末が、すべての参照信号伝送用リソースに対応するＲＩのビット数を決定することと、
前記端末が、異なる参照信号伝送用リソースに対応するＲＩのビット数の最大値に基づいて、前記ＲＩの符号化に使用される第２ビット数を決定することと、
前記端末が、前記第２ビット数とＢＩに対応するビット数に基づいて、前記第１ビット数を決定することと、を含む請求項１に記載の方法。
【請求項３】
前記端末がすべての参照信号伝送用リソースに対応するＲＩのビット数を決定することは、
前記端末が、参照信号伝送用リソース毎に対応するアンテナポート数に基づいて、参照信号伝送用リソース毎に対応するＲＩのビット数を決定すること、または、
前記端末が、参照信号伝送用リソース毎に対応するアンテナポート数と前記端末の対応可能な最大ストリーム数のうちの最小値に基づいて、参照信号伝送用リソース毎に対応するＲＩのビット数を決定すること、を含む請求項２に記載の方法。
【請求項４】
前記端末が、測定して得た参照信号伝送用リソースに対応するＲＩのビット数が前記第２ビット数より小さいと決定した場合、所定のビットスタッフィングルールに基づいて、測定して得た参照信号伝送用リソースに対応するＲＩにビットスタッフィングを行うことをさらに含み、
前記端末が、前記第１ビット数に基づいて、測定して得たＲＩと前記ＢＩの統合符号化を行うことは、
前記端末が、前記第１ビット数に基づいて、ビットスタッフィング後のＲＩと前記ＢＩの統合符号化を行うことを含む請求項２または３に記載の方法。
【請求項５】
前記端末がビーム指標ＢＩとランク指標ＲＩの統合符号化に使用される第１ビット数を決定することは、
前記端末が、すべての参照信号伝送用リソースに対応するＲＩの取り得る値の総数を決定することと、
前記端末が、すべての参照信号伝送用リソースに対応するＲＩの取り得る値の総数に基づいて、前記第１ビット数を決定することと、を含む請求項１〜４のいずれか一項に記載の方法。
【請求項６】
前記端末が、すべての参照信号伝送用リソースに対応するＲＩの取り得る値の総数を決定することは、
前記端末が、すべての参照信号伝送用リソースに対応するアンテナポートの総数を、すべての参照信号伝送用リソースに対応するＲＩの取り得る値の総数として決定すること、または、
前記端末が、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定すること、を含む請求項５に記載の方法。
【請求項７】
前記端末によって決定された前記第１ビット数は、
【数１】
2018534856.tif 000047
である請求項６に記載の方法。
【請求項８】
基地局が、前記端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定することと、
前記基地局が、前記第１ビット数に基づいて、前記端末から送信された符号化情報の統合復号を行い、前記端末で測定して得た参照信号伝送用リソースに対応するＲＩを得ることと、を含むチャネル状態情報ＣＳＩの受信方法。
【請求項９】
前記基地局がビーム指標ＢＩとランク指標ＲＩの統合符号化に使用される第１ビット数を決定することは、
前記基地局が、すべての参照信号伝送用リソースに対応するＲＩのビット数を決定することと、
前記基地局が、異なる参照信号伝送用リソースに対応するＲＩのビット数の最大値に基づいて、前記ＲＩの符号化に使用される第２ビット数を決定することと、
前記基地局が、前記第２ビット数とＢＩに対応するビット数に基づいて、前記第１ビット数を決定することと、を含む請求項８に記載の方法。
【請求項１０】
前記基地局がすべての参照信号伝送用リソースに対応するＲＩのビット数を決定することは、
前記基地局が、参照信号伝送用リソース毎に対応するアンテナポート数に基づいて、参照信号伝送用リソース毎に対応するＲＩのビット数を決定すること、または、
前記基地局が、参照信号伝送用リソース毎に対応するアンテナポート数と前記端末の対応可能な最大ストリーム数のうちの最小値に基づいて、参照信号伝送用リソース毎に対応するＲＩのビット数を決定すること、を含む請求項９に記載の方法。
【請求項１１】
前記基地局が、前記第１ビット数に基づいて、前記端末から送信された符号化情報の統合復号を行い、前記端末で測定して得た参照信号伝送用リソースに対応するＲＩを得ることは、
前記基地局が、前記第１ビット数に基づいて、前記端末から送信された符号化情報の統合復号を行い、ＢＩとＲＩを得ることと、
前記基地局が、前記ＢＩに基づいて、前記端末で測定して得た参照信号伝送用リソースに対応するＲＩのビット数が前記第２ビット数より小さいと決定することと、
前記基地局が、前記ＲＩと所定のビットスタッフィングルールに基づいて、前記端末で測定して得た参照信号伝送用リソースに対応するＲＩを得ることと、を含む請求項９または１０に記載の方法。
【請求項１２】
前記基地局がビーム指標ＢＩとランク指標ＲＩの統合符号化に使用される第１ビット数を決定することは、
前記基地局が、すべての参照信号伝送用リソースに対応するＲＩの取り得る値の総数を決定することと、
前記基地局が、すべての参照信号伝送用リソースに対応するＲＩの取り得る値の総数に基づいて、前記第１ビット数を決定することと、を含む請求項８〜１１のいずれか一項に記載の方法。
【請求項１３】
前記基地局が、すべての参照信号伝送用リソースに対応するＲＩの取り得る値の総数を決定することは、
前記基地局が、すべての参照信号伝送用リソースに対応するアンテナポートの総数を、すべての参照信号伝送用リソースに対応するＲＩの取り得る値の総数として決定すること、または、
前記基地局が、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定すること、を含む請求項１２に記載の方法。
【請求項１４】
前記基地局によって決定された前記第１ビット数は、
【数２】
2018534856.tif 000048
である請求項１３に記載の方法。
【請求項１５】
測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定するための決定モジュールと、
前記第１ビット数に基づいて、測定して得たＲＩと前記ＢＩの統合符号化を行って符号化情報を得、前記符号化情報を送信するための符号化モジュールと、を含むチャネル状態情報ＣＳＩの送信装置。
【請求項１６】
前記決定モジュールは、具体的に、
すべての参照信号伝送用リソースに対応するＲＩのビット数を決定し、
異なる参照信号伝送用リソースに対応するＲＩのビット数の最大値に基づいて、前記ＲＩの符号化に使用される第２ビット数を決定し、
前記第２ビット数と前記ＢＩに対応するビット数に基づいて、前記第１ビット数を決定する請求項１５に記載の装置。
【請求項１７】
前記決定モジュールは、具体的に、
参照信号伝送用リソース毎に対応するアンテナポート数に基づいて、参照信号伝送用リソース毎に対応するＲＩのビット数を決定し、または、
参照信号伝送用リソース毎に対応するアンテナポート数と前記決定モジュールが属する装置の対応可能な最大ストリーム数のうちの最小値に基づいて、参照信号伝送用リソース毎に対応するＲＩのビット数を決定する請求項１６に記載の装置。
【請求項１８】
前記符号化モジュールは、具体的に、
測定して得た参照信号伝送用リソースに対応するＲＩのビット数が前記第２ビット数より小さいと決定される場合、所定のビットスタッフィングルールに基づいて、測定して得た参照信号伝送用リソースに対応するＲＩにビットスタッフィングを行い、
前記第１ビット数に基づいて、ビットスタッフィング後のＲＩと前記ＢＩの統合符号化を行う請求項１６または１７に記載の装置。
【請求項１９】
前記決定モジュールは、具体的に、
すべての参照信号伝送用リソースに対応するＲＩの取り得る値の総数を決定し、
すべての参照信号伝送用リソースに対応するＲＩの取り得る値の総数に基づいて、前記第１ビット数を決定する請求項１５〜１８のいずれか一項に記載の装置。
【請求項２０】
前記決定モジュールは、具体的に、
すべての参照信号伝送用リソースに対応するアンテナポートの総数を、すべての参照信号伝送用リソースに対応するＲＩの取り得る値の総数として決定し、または、
参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定する請求項１９に記載の装置。
【請求項２１】
前記決定モジュールによって決定された前記第１ビット数は、
【数３】
2018534856.tif 000049
である請求項２０に記載の装置。
【請求項２２】
前記端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定するための処理モジュールと、
前記第１ビット数に基づいて、前記端末から送信された符号化情報の統合復号を行い、前記端末で測定して得た参照信号伝送用のリソースに対応するＲＩを得るための復号モジュールと、を含むチャネル状態情報ＣＳＩの受信装置。
【請求項２３】
前記処理モジュールは、具体的に、
すべての参照信号伝送用リソースに対応するＲＩのビット数を決定し、
異なる参照信号伝送用リソースに対応するＲＩのビット数の最大値に基づいて、前記ＲＩの符号化に使用される第２ビット数を決定し、
前記第２ビット数と前記ＢＩに対応するビット数に基づいて、前記第１ビット数を決定する請求項２２に記載の装置。
【請求項２４】
前記処理モジュールは、具体的に、
参照信号伝送用リソース毎に対応するアンテナポート数に基づいて、参照信号伝送用リソース毎に対応するＲＩのビット数を決定し、または、
参照信号伝送用リソース毎に対応するアンテナポート数と前記端末の対応可能な最大ストリーム数のうちの最小値に基づいて、参照信号伝送用リソース毎に対応するＲＩのビット数を決定する請求項２３に記載の装置。
【請求項２５】
前記復号モジュールは、具体的に、
前記第１ビット数に基づいて、前記端末から送信された符号化情報の統合復号を行ってＢＩとＲＩを得、
前記ＢＩに基づいて、前記端末で測定して得た参照信号伝送用リソースに対応するＲＩのビット数が前記第２ビット数より小さいと決定し、
前記ＲＩと所定のビットスタッフィングルールに基づいて、前記端末で測定して得た参照信号伝送用リソースに対応するＲＩを得る請求項２３または２４に記載の装置。
【請求項２６】
前記処理モジュールは、具体的に、
すべての参照信号伝送用リソースに対応するＲＩの取り得る値の総数を決定し、
すべての参照信号伝送用リソースに対応するＲＩの取り得る値の総数に基づいて、前記第１ビット数を決定する請求項２２〜２５のいずれか一項に記載の装置。
【請求項２７】
前記処理モジュールは、具体的に、
すべての参照信号伝送用リソースに対応するアンテナポートの総数を、すべての参照信号伝送用リソースに対応するＲＩの取り得る値の総数として決定し、または、
参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定する請求項２６に記載の装置。
【請求項２８】
前記処理モジュールによって決定された前記第１ビット数は、
【数４】
2018534856.tif 000050
である請求項２７に記載の装置。
【請求項２９】
プロセッサと、
前記プロセッサにバスインタフェースを介して接続され、前記プロセッサによる操作実行に使用されるプログラムとデータを記憶するためのメモリとを含む端末機器であって、
前記プロセッサが、前記メモリに記憶されているプログラムとデータを呼び出して実行する場合、
前記端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定することと、
前記第１ビット数に基づいて、測定して得たＲＩと前記ＢＩの統合符号化を行って符号化情報を得、前記符号化情報を送信することと、を実行する端末機器。
【請求項３０】
プロセッサと、
前記プロセッサにバスインタフェースを介して接続され、前記プロセッサによる操作実行に使用されるプログラムとデータを記憶するためのメモリとを含むネットワーク側機器であって、
前記プロセッサが、前記メモリに記憶されているプログラムとデータを呼び出して実行する場合、
前記端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定することと、
前記第１ビット数に基づいて、前記端末から送信された符号化情報の統合復号を行い、前記端末で測定して得た参照信号伝送用のリソースに対応するＲＩを得ることと、を実行するネットワーク側機器。
【発明の詳細な説明】
【技術分野】
【０００１】
本願は、２０１５年１０月１６日に中国特許庁に提出された中国特許出願２０１５１０６７４４６１．１の優先権を主張し、その全ての内容が援用により本願に取り込まれる。
【０００２】
本発明は、通信技術分野に係り、特にチャネル状態情報の伝送方法および装置に係る。
【背景技術】
【０００３】
現在、通信業界では、３Ｄ  ＭＩＭＯ（Ｍｕｌｔｉｐｌｅ  Ｉｎｐｕｔ  Ｍｕｌｔｉｐｌｅ  Ｏｕｔｐｕｔ）に対する研究がますます多く行われている。３Ｄ  ＭＩＭＯの重要特性の１つとして、基地局側のアンテナ数が非常に多く、しかも８アンテナ、１６アンテナ、３２アンテナ、６４アンテナなど、２次元のアンテナ構造である。単一偏波アンテナ構造を例とし、図１Ａ〜図１Ｄでは、８アンテナ、１６アンテナ、３２アンテナ、６４アンテナの構造がそれぞれ示されている。
【０００４】
現在、３Ｄ  ＭＩＭＯ設定の基地局において、基地局側の復号複雑度、電力損失および復号ミスを効果的に低下させることは、業界で解決が急がれる技術問題の１つである。
【発明の概要】
【発明が解決しようとする課題】
【０００５】
本発明の実施例は、異なるＣＳＩ−ＲＳリソースに設定されるアンテナポート数が異なることがあるため、ｅＮＢの復号複雑度、電力損失および復号ミスが増えるという従来技術の問題を解決するために、チャネル状態情報の伝送方法および装置を提供する。
【課題を解決するための手段】
【０００６】
第１態様として、本発明の実施例による第１のチャネル状態情報ＣＳＩの送信方法において、
端末が、測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定することと、
前記端末が、前記第１ビット数に基づいて、測定して得たＲＩと前記ＢＩの統合符号化を行って符号化情報を得、前記符号化情報を送信することと、を含む。
【０００７】
実施に際し、選択可能な実現方式として、前記端末がビーム指標ＢＩとランク指標ＲＩの統合符号化に使用される第１ビット数を決定することは、
前記端末が、すべての参照信号伝送用リソースに対応するＲＩのビット数を決定することと、
前記端末が、異なる参照信号伝送用リソースに対応するＲＩのビット数の最大値に基づいて、前記ＲＩの符号化に使用される第２ビット数を決定することと、
前記端末が、前記第２ビット数とＢＩに対応するビット数に基づいて、前記第１ビット数を決定することと、を含む。
【０００８】
実施に際し、選択可能な実現方式として、前記端末がすべての参照信号伝送用リソースに対応するＲＩのビット数を決定することは、
前記端末が、参照信号伝送用リソース毎に対応するアンテナポート数に基づいて、参照信号伝送用リソース毎に対応するＲＩのビット数を決定すること、または、
前記端末が、参照信号伝送用リソース毎に対応するアンテナポート数と前記端末の対応可能な最大ストリーム数のうちの最小値に基づいて、参照信号伝送用リソース毎に対応するＲＩのビット数を決定すること、を含む。
【０００９】
実施に際し、選択可能な実現方式として、当該方法において、
前記端末が、測定して得た参照信号伝送用リソースに対応するＲＩのビット数が前記第２ビット数より小さいと決定した場合、所定のビットスタッフィングルールに基づいて、測定して得た参照信号伝送用リソースに対応するＲＩにビットスタッフィングを行うことをさらに含み、
前記端末が、前記第１ビット数に基づいて、測定して得たＲＩと前記ＢＩの統合符号化を行うことは、
前記端末が、前記第１ビット数に基づいて、ビットスタッフィング後のＲＩと前記ＢＩの統合符号化を行うことを含む。
【００１０】
実施に際し、選択可能な実現方式として、前記端末がビーム指標ＢＩとランク指標ＲＩの統合符号化に使用される第１ビット数を決定することは、
前記端末が、すべての参照信号伝送用リソースに対応するＲＩの取り得る値の総数を決定することと、
前記端末が、すべての参照信号伝送用リソースに対応するＲＩの取り得る値の総数に基づいて、前記第１ビット数を決定することと、を含む。
【００１１】
実施に際し、選択可能な実現方式として、前記端末が、すべての参照信号伝送用リソースに対応するＲＩの取り得る値の総数を決定することは、
前記端末が、すべての参照信号伝送用リソースに対応するアンテナポートの総数を、すべての参照信号伝送用リソースに対応するＲＩの取り得る値の総数として決定すること、または、
前記端末が、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定すること、を含む。
【００１２】
実施に際し、選択可能な実現方式として、前記端末によって決定された前記第１ビット数は、
【数１】
2018534856.tif 000003
である。
【００１３】
第２態様として、本発明の実施例によるチャネル状態情報ＣＳＩの受信方法において、
基地局が、前記端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定することと、
前記基地局が、前記第１ビット数に基づいて、前記端末から送信された符号化情報の統合復号を行い、前記端末で測定して得た参照信号伝送用リソースに対応するＲＩを得ることと、を含む。
【００１４】
実施に際し、選択可能な実現方式として、前記基地局がビーム指標ＢＩとランク指標ＲＩの統合符号化に使用される第１ビット数を決定することは、
前記基地局が、すべての参照信号伝送用リソースに対応するＲＩのビット数を決定することと、
前記基地局が、異なる参照信号伝送用リソースに対応するＲＩのビット数の最大値に基づいて、前記ＲＩの符号化に使用される第２ビット数を決定することと、
前記基地局が、前記第２ビット数とＢＩに対応するビット数に基づいて、前記第１ビット数を決定することと、を含む。
【００１５】
実施に際し、選択可能な実現方式として、前記基地局がすべての参照信号伝送用リソースに対応するＲＩのビット数を決定することは、
前記基地局が、参照信号伝送用リソース毎に対応するアンテナポート数に基づいて、参照信号伝送用リソース毎に対応するＲＩのビット数を決定すること、または、
前記基地局が、参照信号伝送用リソース毎に対応するアンテナポート数と前記端末の対応可能な最大ストリーム数のうちの最小値に基づいて、参照信号伝送用リソース毎に対応するＲＩのビット数を決定すること、を含む。
【００１６】
実施に際し、選択可能な実現方式として、前記基地局が、前記第１ビット数に基づいて、前記端末から送信された符号化情報の統合復号を行い、前記端末で測定して得た参照信号伝送用リソースに対応するＲＩを得ることは、
前記基地局が、前記第１ビット数に基づいて、前記端末から送信された符号化情報の統合復号を行い、ＢＩとＲＩを得ることと、
前記基地局が、前記ＢＩに基づいて、前記端末で測定して得た参照信号伝送用リソースに対応するＲＩのビット数が前記第２ビット数より小さいと決定することと、
前記基地局が、前記ＲＩと所定のビットスタッフィングルールに基づいて、前記端末で測定して得た参照信号伝送用リソースに対応するＲＩを得ることと、を含む。
【００１７】
実施に際し、選択可能な実現方式として、前記基地局がビーム指標ＢＩとランク指標ＲＩの統合符号化に使用される第１ビット数を決定することは、
前記基地局が、すべての参照信号伝送用リソースに対応するＲＩの取り得る値の総数を決定することと、
前記基地局が、すべての参照信号伝送用リソースに対応するＲＩの取り得る値の総数に基づいて、前記第１ビット数を決定することと、を含む。
【００１８】
実施に際し、選択可能な実現方式として、前記基地局が、すべての参照信号伝送用リソースに対応するＲＩの取り得る値の総数を決定することは、
前記基地局が、すべての参照信号伝送用リソースに対応するアンテナポートの総数を、すべての参照信号伝送用リソースに対応するＲＩの取り得る値の総数として決定すること、または、
前記基地局が、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定すること、を含む。
【００１９】
実施に際し、選択可能な実現方式として、前記基地局によって決定された前記第１ビット数は、
【数２】
2018534856.tif 000004
である。
【００２０】
第３態様として、本発明の実施例によるチャネル状態情報ＣＳＩの送信装置は、
測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定するための決定モジュールと、
前記第１ビット数に基づいて、測定して得たＲＩと前記ＢＩの統合符号化を行って符号化情報を得、前記符号化情報を送信するための符号化モジュールと、を含む。
【００２１】
実施に際し、選択可能な実現方式として、前記決定モジュールは、具体的に、
すべての参照信号伝送用リソースに対応するＲＩのビット数を決定し、
異なる参照信号伝送用リソースに対応するＲＩのビット数の最大値に基づいて、前記ＲＩの符号化に使用される第２ビット数を決定し、
前記第２ビット数と前記ＢＩに対応するビット数に基づいて、前記第１ビット数を決定する。
【００２２】
実施に際し、選択可能な実現方式として、前記決定モジュールは、具体的に、
参照信号伝送用リソース毎に対応するアンテナポート数に基づいて、参照信号伝送用リソース毎に対応するＲＩのビット数を決定し、または、
参照信号伝送用リソース毎に対応するアンテナポート数と前記決定モジュールが属する装置の対応可能な最大ストリーム数のうちの最小値に基づいて、参照信号伝送用リソース毎に対応するＲＩのビット数を決定する。
【００２３】
実施に際し、選択可能な実現方式として、前記符号化モジュールは、具体的に、
測定して得た参照信号伝送用リソースに対応するＲＩのビット数が前記第２ビット数より小さいと決定される場合、所定のビットスタッフィングルールに基づいて、測定して得た参照信号伝送用リソースに対応するＲＩにビットスタッフィングを行い、
前記第１ビット数に基づいて、ビットスタッフィング後のＲＩと前記ＢＩの統合符号化を行う。
【００２４】
実施に際し、選択可能な実現方式として、前記決定モジュールは、具体的に、
すべての参照信号伝送用リソースに対応するＲＩの取り得る値の総数を決定し、
すべての参照信号伝送用リソースに対応するＲＩの取り得る値の総数に基づいて、前記第１ビット数を決定する。
【００２５】
実施に際し、選択可能な実現方式として、前記決定モジュールは、具体的に、
すべての参照信号伝送用リソースに対応するアンテナポートの総数を、すべての参照信号伝送用リソースに対応するＲＩの取り得る値の総数として決定し、または、
参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定する。
【００２６】
実施に際し、選択可能な実現方式として、前記決定モジュールによって決定された前記第１ビット数は、
【数３】
2018534856.tif 000005
である。
【００２７】
第４態様として、本発明の実施例によるチャネル状態情報ＣＳＩの受信装置は、
前記端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定するための処理モジュールと、
前記第１ビット数に基づいて、前記端末から送信された符号化情報の統合復号を行い、前記端末で測定して得た参照信号伝送用のリソースに対応するＲＩを得るための復号モジュールと、を含む。
【００２８】
実施に際し、選択可能な実現方式として、前記処理モジュールは、具体的に、
すべての参照信号伝送用リソースに対応するＲＩのビット数を決定し、
異なる参照信号伝送用リソースに対応するＲＩのビット数の最大値に基づいて、前記ＲＩの符号化に使用される第２ビット数を決定し、
前記第２ビット数と前記ＢＩに対応するビット数に基づいて、前記第１ビット数を決定する。
【００２９】
実施に際し、選択可能な実現方式として、前記処理モジュールは、具体的に、
参照信号伝送用リソース毎に対応するアンテナポート数に基づいて、参照信号伝送用リソース毎に対応するＲＩのビット数を決定し、または、
参照信号伝送用リソース毎に対応するアンテナポート数と前記端末の対応可能な最大ストリーム数のうちの最小値に基づいて、参照信号伝送用リソース毎に対応するＲＩのビット数を決定する。
【００３０】
実施に際し、選択可能な実現方式として、前記復号モジュールは、具体的に、
前記第１ビット数に基づいて、前記端末から送信された符号化情報の統合復号を行ってＢＩとＲＩを得、
前記復号モジュールは、前記ＢＩに基づいて、前記端末で測定して得た参照信号伝送用リソースに対応するＲＩのビット数が前記第２ビット数より小さいと決定し、
前記ＲＩと所定のビットスタッフィングルールに基づいて、前記端末で測定して得た参照信号伝送用リソースに対応するＲＩを得る。
【００３１】
実施に際し、選択可能な実現方式として、前記処理モジュールは、具体的に、
すべての参照信号伝送用リソースに対応するＲＩの取り得る値の総数を決定し、
すべての参照信号伝送用リソースに対応するＲＩの取り得る値の総数に基づいて、前記第１ビット数を決定する。
【００３２】
実施に際し、選択可能な実現方式として、前記処理モジュールは、具体的に、
すべての参照信号伝送用リソースに対応するアンテナポートの総数を、すべての参照信号伝送用リソースに対応するＲＩの取り得る値の総数として決定し、または、
参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定する。
【００３３】
実施に際し、選択可能な実現方式として、前記処理モジュールによって決定された前記第１ビット数は、
【数４】
2018534856.tif 000006
である。
【００３４】
本発明の実施例による第１のチャネル状態情報の伝送方法および装置において、端末は、まずＢＩとＲＩの統合符号化に使用される第１ビット数を決定してから、第１ビット数に基づいて、測定して得たＲＩと前記ＢＩを統合符号化してレポートする。異なる参照信号伝送用リソースに対応するＲＩと当該リソースの番号を示すＢＩの統合符号化に使用される第１ビット数が同一であるため、基地局は、第１ビット数に基づいて、端末からレポートされる符号化情報の統合復号を行うことによって、前記端末が測定してレポートする参照信号伝送用リソース対応ＲＩと前記ＢＩを得ることができる。基地局におけるブラインド検出を必要とされないため、基地局側の復号複雑度、電力損失および復号ミスを低下させる。
【００３５】
第５態様として、本発明の実施例による第２のチャネル状態情報ＣＳＩの送信方法において、
端末が、測定して得た参照信号伝送用リソースの番号指標であるＢＩと、参照信号伝送用リソースを測定して得たＲＩのビット総数を決定することと、
前記端末が、前記ビット総数に基づいて、前記ＲＩと前記ＢＩの統合符号化を行って符号化情報を得、前記ＢＩと前記ＲＩのビット総数を示す指標情報と前記符号化情報を送信することと、を含む。
【００３６】
実施に際し、選択可能な実現方式として、端末がＢＩと参照信号伝送用リソースを測定して得たＲＩのビット総数を決定することは、
前記端末が、すべての参照信号伝送用リソースに対応するＲＩのビット数を決定し、異なる参照信号伝送用リソースに対応するＲＩのビット数の最大値に基づいて、前記ＲＩの符号化に使用される第２ビット数を決定し、前記第２ビット数とＢＩに対応するビット数に基づいて、前記第１ビット数を決定すること、または、
前記端末が、すべての参照信号伝送用リソースに対応するＲＩの取り得る値の総数を決定し、すべての参照信号伝送用リソースに対応するＲＩの取り得る値の総数に基づいて、前記第１ビット数を決定すること、または、
前記端末が、対応可能な最大ストリーム数と測定して得た参照信号伝送用リソースに対応するアンテナポート数のうちの最小値に基づいて、前記ＲＩに対応するビット数を決定し、前記ＲＩに対応するビット数とＢＩに対応するビット数に基づいて、前記ビット総数を決定すること、を含む。
【００３７】
実施に際し、選択可能な実現方式として、前記端末がすべての参照信号伝送用リソースに対応するＲＩのビット数を決定することは、
前記端末が、参照信号伝送用リソース毎に対応するアンテナポート数に基づいて、参照信号伝送用リソース毎に対応するＲＩのビット数を決定すること、または、
前記端末が、参照信号伝送用リソース毎に対応するアンテナポート数と前記端末の対応可能な最大ストリーム数のうちの最小値に基づいて、参照信号伝送用リソース毎に対応するＲＩのビット数を決定すること、を含む。
【００３８】
実施に際し、選択可能な実現方式として、当該方法において、前記端末が、測定して得た参照信号伝送用リソースに対応するＲＩのビット数が前記第２ビット数より小さいと決定した場合、所定のビットスタッフィングルールに基づいて、測定して得た参照信号伝送用リソースに対応するＲＩにビットスタッフィングを行うことをさらに含み、
前記端末が、前記第１ビット数に基づいて、測定して得たＲＩと前記ＢＩの統合符号化を行うことは、前記端末が、前記第１ビット数に基づいて、ビットスタッフィング後のＲＩと前記ＢＩの統合符号化を行うことを含む。
【００３９】
実施に際し、選択可能な実現方式として、前記端末が、すべての参照信号伝送用リソースに対応するＲＩの取り得る値の総数を決定することは、
前記端末が、すべての参照信号伝送用リソースに対応するアンテナポートの総数を、すべての参照信号伝送用リソースに対応するＲＩの取り得る値の総数として決定すること、または、
前記端末が、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定すること、を含む。
【００４０】
実施に際し、選択可能な実現方式として、前記端末によって決定された前記第１ビット数は、
【数５】
2018534856.tif 000007
である。
【００４１】
実施に際し、選択可能な実現方式として、前記指標情報のビット数は、
【数６】
2018534856.tif 000008
、または、
【数７】
2018534856.tif 000009
、または、
【数８】
2018534856.tif 000010
、または、
【数９】
2018534856.tif 000011
、または、
【数１０】
2018534856.tif 000012
である。
【００４２】
実施に際し、選択可能な実現方式として、前記端末が前記ＲＩと前記ＢＩのビット総数を示す指標情報と前記符号化情報を送信することは、
前記端末が、第１サブフレームで前記指標情報を送信し、前記第１サブフレーム後の第２サブフレームで前記符号化情報を送信すること、または、
前記端末が、前記指標情報と前記符号化情報を同一のサブフレームで独自符号化方式で送信すること、を含む。
【００４３】
実施に際し、選択可能な実現方式として、前記端末が前記ＲＩと前記ＢＩのビット総数を示す指標情報と前記符号化情報を送信することは、
前記端末が、前記指標情報と前記符号化情報をＰＵＣＣＨで送信すること、または、
前記端末が、前記指標情報と前記符号化情報を異なるサブフレームのＰＵＳＣＨで送信すること、または、
前記端末が、前記指標情報をＰＵＣＣＨで送信し、前記符号化情報をＰＵＳＣＨで送信すること、または、
前記端末が、前記指標情報をＰＵＳＣＨで送信し、前記符号化情報をＰＵＣＣＨで送信すること、を含む。
【００４４】
第６態様として、本発明の実施例による第２のチャネル状態情報ＣＳＩの受信方法において、
基地局が、前記端末で測定して得た参照信号伝送用リソースの番号指標であるＢＩと、参照信号伝送用リソースを測定して得たＲＩのビット総数を示す指標情報と符号化情報を受信することと、
前記基地局が、前記指標情報で示すビット総数に基づいて、前記符号化情報の統合復号を行って前記ＲＩと前記ＢＩを得ることと、を含む。
【００４５】
実施に際し、選択可能な実現方式として、前記指標情報のビット数は、
【数１１】
2018534856.tif 000013
、または、
【数１２】
2018534856.tif 000014
、または、
【数１３】
2018534856.tif 000015
、または、
【数１４】
2018534856.tif 000016
、または、
【数１５】
2018534856.tif 000017
である。
【００４６】
実施に際し、選択可能な実現方式として、前記基地局が、前記指標情報で示すビット総数に基づいて、前記符号化情報の統合復号を行って前記ＲＩと前記ＢＩを得ることは、
前記基地局が、前記指標情報で示すビット総数に基づいて、前記端末から送信された符号化情報の統合復号を行ってＲＩとＢＩを得ることと、
前記基地局が、前記ＢＩに基づいて、前記端末で測定して得た参照信号伝送用リソースに対応するＲＩのビット数が前記ＲＩの符号化に使用されるビット数より小さいと決定することと、
前記基地局が、前記ＲＩと所定のビットスタッフィングルールに基づいて、前記端末で測定して得た参照信号伝送用リソースに対応するＲＩを得ることと、を含む。
【００４７】
実施に際し、選択可能な実現方式として、前記基地局がＢＩと参照信号伝送用リソースを測定して得たＲＩのビット総数を示す指標情報と符号化情報を受信することは、
前記基地局が、前記指標情報を第１サブフレームで受信し、前記符号化情報を前記第１サブフレーム後の第２サブフレームで受信すること、または、
前記基地局が、独自符号化方式で符号化される前記指標情報と前記符号化情報を同一のサブフレームで受信することを含む。
【００４８】
実施に際し、選択可能な実現方式として、前記基地局がＢＩと参照信号伝送用リソースを測定して得たＲＩのビット総数を示す指標情報と符号化情報を受信することは、
前記基地局が、前記指標情報と前記符号化情報をＰＵＣＣＨで受信すること、または、
前記基地局が、前記指標情報と前記符号化情報を異なるサブフレームのＰＵＳＣＨで受信すること、または、
前記基地局が、前記指標情報をＰＵＣＣＨで受信し、前記符号化情報をＰＵＳＣＨで受信すること、または、
前記基地局が、前記指標情報をＰＵＳＣＨで受信し、前記符号化情報をＰＵＣＣＨで受信すること、を含む。
【００４９】
第７態様として、本発明の実施例による第２のチャネル状態情報の送信装置は、
測定して得た参照信号伝送用リソースの番号指標であるＢＩと、参照信号伝送用リソースを測定して得たＲＩのビット総数を決定するための決定モジュールと、
前記ビット総数に基づいて、前記ＲＩと前記ＢＩの統合符号化を行って符号化情報を得るための符号化モジュールと、
前記ＢＩと前記ＲＩのビット総数を示す指標情報と前記符号化情報を送信するための送信モジュールと、を含む。
【００５０】
実施に際し、選択可能な実現方式として、前記決定モジュールは、具体的に、
すべての参照信号伝送用リソースに対応するＲＩのビット数を決定し、異なる参照信号伝送用リソースに対応するＲＩのビット数の最大値に基づいて、前記ＲＩの符号化に使用される第２ビット数を決定し、前記第２ビット数とＢＩに対応するビット数に基づいて、前記第１ビット数を決定し、または、
前記決定モジュールは、すべての参照信号伝送用リソースに対応するＲＩの取り得る値の総数を決定し、すべての参照信号伝送用リソースに対応するＲＩの取り得る値の総数に基づいて、前記第１ビット数を決定し、または、
前記決定モジュールは、対応可能な最大ストリーム数と測定して得た参照信号伝送用リソースに対応するアンテナポート数のうちの最小値に基づいて、前記ＲＩに対応するビット数を決定し、前記ＲＩに対応するビット数とＢＩに対応するビット数に基づいて、前記ビット総数を決定する。
【００５１】
実施に際し、選択可能な実現方式として、前記決定モジュールがすべての参照信号伝送用リソースに対応するＲＩのビット数を決定することは、
参照信号伝送用リソース毎に対応するアンテナポート数に基づいて、参照信号伝送用リソース毎に対応するＲＩのビット数を決定すること、または、
参照信号伝送用リソース毎に対応するアンテナポート数と前記端末の対応可能な最大ストリーム数のうちの最小値に基づいて、参照信号伝送用リソース毎に対応するＲＩのビット数を決定すること、を含む。
【００５２】
実施に際し、選択可能な実現方式として、前記符号化モジュールは、具体的に、
測定して得た参照信号伝送用リソースに対応するＲＩのビット数が前記第２ビット数より小さいことが前記決定モジュールによって決定された場合、所定のビットスタッフィングルールに基づいて、測定して得た参照信号伝送用リソースに対応するＲＩにビットスタッフィングを行い、
前記第１ビット数に基づいて、ビットスタッフィング後のＲＩと前記ＢＩの統合符号化を行う。
【００５３】
実施に際し、選択可能な実現方式として、前記決定モジュールがすべての参照信号伝送用リソースに対応するＲＩの取り得る値の総数を決定することは、
すべての参照信号伝送用リソースに対応するアンテナポートの総数を、すべての参照信号伝送用リソースに対応するＲＩの取り得る値の総数として決定すること、または、
参照信号伝送用リソース毎に対応するアンテナポートの数と前記決定モジュールが属する装置の対応可能な最大ストリーム数のうちの最小値を決定し、決定したすべての最小値の和を、すべての参照信号伝送用リソースに対応するＲＩの取り得る値の総数として決定すること、を含む。
【００５４】
実施に際し、選択可能な実現方式として、前記決定モジュールによって決定された前記第１ビット数は、
【数１６】
2018534856.tif 000018
である。
【００５５】
実施に際し、選択可能な実現方式として、前記指標情報のビット数は、
【数１７】
2018534856.tif 000019
、または、
【数１８】
2018534856.tif 000020
、または、
【数１９】
2018534856.tif 000021
、または、
【数２０】
2018534856.tif 000022
、または、
【数２１】
2018534856.tif 000023
である。
【００５６】
実施に際し、選択可能な実現方式として、前記送信モジュールは、具体的に、
第１サブフレームで前記指標情報を送信し、前記第１サブフレーム後の第２サブフレームで前記符号化情報を送信し、または、
前記指標情報と前記符号化情報を同一のサブフレームで独自符号化方式で送信する。
【００５７】
実施に際し、選択可能な実現方式として、前記送信モジュールは、具体的に、
前記指標情報と前記符号化情報をＰＵＣＣＨで送信し、または、
前記指標情報と前記符号化情報を異なるサブフレームのＰＵＳＣＨで送信し、または、
前記指標情報をＰＵＣＣＨで送信し、前記符号化情報をＰＵＳＣＨで送信し、または、
前記指標情報をＰＵＳＣＨで送信し、前記符号化情報をＰＵＣＣＨで送信する。
【００５８】
第８態様として、本発明の実施例による第２のチャネル状態情報の受信装置は、
前記端末で測定して得た参照信号伝送用リソースの番号指標であるＢＩと、参照信号伝送用リソースを測定して得たＲＩのビット総数を示す指標情報と符号化情報を受信するための受信モジュールと、
前記指標情報で示すビット総数に基づいて、前記符号化情報の統合復号を行って前記ＲＩと前記ＢＩを得るための復号モジュールと、を含む。
【００５９】
実施に際し、選択可能な実現方式として、前記復号モジュールは、具体的に、
前記指標情報で示すビット総数に基づいて、前記端末から送信された符号化情報の統合復号を行ってＲＩとＢＩを得、
前記復号モジュールは、前記ＢＩに基づいて、前記端末で測定して得た参照信号伝送用リソースに対応するＲＩのビット数が前記ＲＩの符号化に使用されるビット数より小さいと決定し、
前記復号モジュールは、前記ＲＩと所定のビットスタッフィングルールに基づいて、前記端末で測定して得た参照信号伝送用リソースに対応するＲＩを得る。
【００６０】
実施に際し、選択可能な実現方式として、前記受信モジュールは、具体的に、
前記指標情報を第１サブフレームで受信し、前記符号化情報を前記第１サブフレーム後の第２サブフレームで受信し、または、
前記指標情報と前記符号化情報を同一のサブフレームで受信し、ここで、前記指標情報を前記符号化情報が独自符号化方式で符号化される。
【００６１】
実施に際し、選択可能な実現方式として、前記受信モジュールは、具体的に、
前記指標情報と前記符号化情報をＰＵＣＣＨで受信し、または、
前記指標情報と前記符号化情報を異なるサブフレームのＰＵＳＣＨで受信し、または、
前記指標情報をＰＵＣＣＨで受信し、前記符号化情報をＰＵＳＣＨで受信し、または、
前記指標情報をＰＵＳＣＨで受信し、前記符号化情報をＰＵＣＣＨで受信する。
【００６２】
本発明の実施例による第２のチャネル状態情報ＣＳＩの伝送方法および装置において、端末から、ＢＩと参照信号伝送用リソースを測定して得たＲＩのビット総数を示す指標情報と前記符号化情報を送信することによって、基地局は、指標情報に基づいて、ＢＩと端末で参照信号伝送用リソースを測定して得たＲＩのビット総数を決定することができる。さらに、基地局は、決定したビット総数に基づいて、端末から受信した符号化情報の統合復号を行うことによって、端末で参照信号伝送用リソースを測定して得たＲＩと端末で測定して得た参照信号伝送用リソースの番号指標であるＢＩを得ることができる。基地局におけるブラインド検出を必要とされないため、基地局側の復号複雑度、電力損失および復号ミスを低下させる。
【００６３】
第９形態として、本発明の実施例による第３のチャネル状態情報ＣＳＩの送信方法において、
端末が、基地局から設定されたチャネル測定用のＣＳＩプロセス中の異なる参照信号伝送用リソースに異なるアンテナポート数を有すると決定することと、
前記端末が、予め指定された参照信号伝送用リソースを測定し、測定して得たチャネル状態情報ＣＳＩを送信することと、を含む。
【００６４】
実施に際し、選択可能な実現方式として、当該方法において、
前記端末が、測定して得た参照信号伝送用リソースの番号指標であるＢＩを送信することをさらに含む。
【００６５】
実施に際し、選択可能な実現方式として、前記端末が前記ＢＩと前記ＣＳＩを送信することは、
前記端末が、第１サブフレームで前記ＢＩを送信し、前記第１サブフレーム後の第２サブフレームで前記ＣＳＩを受信すること、または、
前記端末が、独自符号化方式で符号化される前記ＢＩと前記ＣＳＩを同一のサブフレームで送信することを含む。
【００６６】
実施に際し、選択可能な実現方式として、前記端末が前記ＢＩと前記ＣＳＩを送信することは、
前記端末が、前記ＢＩと前記ＣＳＩをＰＵＣＣＨで送信すること、または、
前記端末が、前記ＢＩと前記ＣＳＩを異なるサブフレームのＰＵＳＣＨで送信すること、または、
前記端末が、前記ＢＩをＰＵＣＣＨで送信し、前記ＣＳＩをＰＵＳＣＨで送信すること、または、
前記端末が、前記ＣＳＩをＰＵＳＣＨで送信し、前記ＢＩをＰＵＣＣＨで送信すること、を含む。
【００６７】
第１０形態として、本発明の実施例による第３のチャネル状態情報ＣＳＩの受信方法において、
基地局が、前記端末に設定するチャネル測定用のＣＳＩプロセス中の異なる参照信号伝送用リソースに異なるアンテナポート数を有すると決定することと、
前記基地局が、予め指定された参照信号伝送用リソースに対応するＲＩのビット数を決定し、前記ＲＩのビット数に基づいて、前記端末から送信されたチャネル状態情報ＣＳＩの復号を行って、前記端末で測定して得たＣＳＩを得ることと、を含む。
【００６８】
実施に際し、選択可能な実現方式として、当該方法において、
前記基地局が、前記端末で測定して得た参照信号伝送用リソースの番号指標であるＢＩを前記端末から受信することをさらに含む。
【００６９】
実施に際し、選択可能な実現方式として、前記基地局が前記ＢＩと前記ＣＳＩを受信することは、
前記基地局が、第１サブフレームで前記ＢＩを受信し、前記第１サブフレーム後の第２サブフレームで前記ＣＳＩを受信すること、または、
前記基地局が、独自符号化方式で符号化される前記ＢＩと前記ＣＳＩを同一のサブフレームで受信すること、を含む。
【００７０】
実施に際し、選択可能な実現方式として、前記基地局が前記ＢＩと前記ＣＳＩを受信することは、
前記基地局が、前記ＢＩと前記ＣＳＩをＰＵＣＣＨで受信すること、または、
前記基地局が、前記ＢＩと前記ＣＳＩを異なるサブフレームのＰＵＳＣＨで受信すること、または、
前記基地局が、前記ＢＩをＰＵＣＣＨで受信し、前記ＣＳＩをＰＵＳＣＨで受信すること、または、
前記基地局が、前記ＣＳＩをＰＵＳＣＨで受信し、前記ＢＩをＰＵＣＣＨで受信することを含む。
【００７１】
第１１形態として、本発明の実施例による第３のチャネル状態情報ＣＳＩの送信装置は、
基地局から設定されたチャネル測定用のＣＳＩプロセス中の異なる参照信号伝送用リソースに異なるアンテナポート数を有すると決定するための決定モジュールと、
予め指定された参照信号伝送用リソースの測定を行うための測定モジュールと、
測定して得たＣＳＩを送信するための送信モジュールとを含む。
【００７２】
実施に際し、選択可能な実現方式として、前記送信モジュールは、
測定して得た参照信号伝送用リソースの番号指標であるＢＩをさらに送信する。
【００７３】
実施に際し、選択可能な実現方式として、前記送信モジュールは、具体的に、
第１サブフレームで前記ＢＩを送信し、前記第１サブフレーム後の第２サブフレームで前記ＣＳＩを受信し、または、
独自符号化方式で符号化される前記ＢＩと前記ＣＳＩを同一のサブフレームで送信する。
【００７４】
実施に際し、選択可能な実現方式として、前記送信モジュールは、具体的に、
前記ＢＩと前記ＣＳＩをＰＵＣＣＨで送信し、または、
前記ＢＩと前記ＣＳＩを異なるサブフレームのＰＵＳＣＨで送信し、または、
前記ＢＩをＰＵＣＣＨで送信し、前記ＣＳＩをＰＵＳＣＨで送信し、または、
前記ＣＳＩをＰＵＳＣＨで送信し、前記ＢＩをＰＵＣＣＨで送信する。
【００７５】
第１２形態として、本発明の実施例による第３のチャネル状態情報ＣＳＩの受信装置は、
前記端末から送信されたＣＳＩを受信するための受信モジュールと、
前記端末に設定するチャネル測定用のＣＳＩプロセス中の異なる参照信号伝送用リソースに異なるアンテナポート数を有すると決定するための決定モジュールと、
予め指定された参照信号伝送用リソースに対応するＲＩのビット数を決定し、前記ＲＩのビット数に基づいて、受信モジュールで受信したＣＳＩの復号を行って、前記端末で測定して得たＣＳＩを得るための復号モジュールと、を含む。
【００７６】
実施に際し、選択可能な実現方式として、前記受信モジュールは、
前記端末で測定して得た参照信号伝送用リソースの番号指標であるＢＩを前記端末から受信する。
【００７７】
実施に際し、選択可能な実現方式として、前記受信モジュールは、具体的に、
第１サブフレームで前記ＢＩを受信し、前記第１サブフレーム後の第２サブフレームで前記ＣＳＩを受信し、または、
独自符号化方式で符号化される前記ＢＩと前記ＣＳＩを同一のサブフレームで受信する。
【００７８】
実施に際し、選択可能な実現方式として、前記受信モジュールは、具体的に、
前記ＢＩと前記ＣＳＩをＰＵＣＣＨで受信し、または、
前記ＢＩと前記ＣＳＩを異なるサブフレームのＰＵＳＣＨで受信し、または、
前記ＢＩをＰＵＣＣＨで受信し、前記ＣＳＩをＰＵＳＣＨで受信し、または、
前記ＣＳＩをＰＵＳＣＨで受信し、前記ＢＩをＰＵＣＣＨで受信する。
【００７９】
本発明の実施例による第３のチャネル状態情報の伝送方法および装置において、端末は、予め指定された参照信号伝送用リソースを測定し、測定して得たＣＳＩを送信する。基地局は、端末がどの参照信号伝送用リソースで測定するかを予め知ることができるため、端末で測定して得た参照信号伝送用リソースに対応するＲＩのビット数を決定することができる。さらに、基地局は、ＲＩに対応するビット数に基づいて、端末から送信されたＣＳＩの復号を行うことによって、端末で測定して得たＲＩを得ることができる。
【００８０】
第１３形態として、本発明の実施例による第４のチャネル状態情報ＣＳＩの送信方法において、
端末が、基地局から設定されたチャネル測定用のＣＳＩプロセス中の異なる参照信号伝送用リソースに異なるアンテナポート数を有すると決定することと、
前記端末が、予め設定されたレポート順に、異なる参照信号伝送用リソースで測定して得たチャネル状態情報ＣＳＩを順に送信することと、を含む。
【００８１】
実施に際し、選択可能な実現方式として、当該方法において、
前記端末が、測定して得た参照信号伝送用リソースの番号指標であるＢＩを送信することをさらに含む。
【００８２】
実施に際し、選択可能な実現方式として、前記端末が前記ＢＩと前記ＣＳＩを送信することは、
前記端末が、第１サブフレームで前記ＢＩを送信し、前記第１サブフレーム後の第２サブフレームで前記ＣＳＩを送信すること、または、
前記端末が、独自符号化方式で符号化される前記ＢＩと前記ＣＳＩを同一のサブフレームで送信すること、を含む。
【００８３】
実施に際し、選択可能な実現方式として、前記端末が前記ＢＩと前記ＣＳＩを毎回送信することは、
前記端末が、前記ＢＩと前記ＣＳＩをＰＵＣＣＨで送信すること、または、
前記端末が、前記ＢＩと前記ＣＳＩを異なるサブフレームのＰＵＳＣＨで送信すること、または、
前記端末が、前記ＢＩをＰＵＣＣＨで送信し、前記ＣＳＩをＰＵＳＣＨで送信すること、または、
前記端末が、前記ＣＳＩをＰＵＳＣＨで送信し、前記ＢＩをＰＵＣＣＨで送信することを含む。
【００８４】
第１４形態として、本発明の実施例による第４のチャネル状態情報ＣＳＩの受信方法において、
基地局が、前記端末に設定するチャネル測定用のＣＳＩプロセス中の異なる参照信号伝送用リソースに異なるアンテナポート数を有すると決定することと、
前記基地局が、予め設定されたレポート順に、参照信号伝送用リソース毎に対応するＲＩのビット数を決定し、前記ＲＩのビット数に基づいて、当該参照信号伝送用リソースに対応するＣＳＩの復号を行うことと、を含む。
【００８５】
実施に際し、選択可能な実現方式として、当該方法において、
前記基地局が、前記端末で測定して得た参照信号伝送用リソースの番号指標であるＢＩを前記端末から受信することをさらに含む。
【００８６】
実施に際し、選択可能な実現方式として、前記基地局が前記ＢＩと前記ＣＳＩを受信することは、
前記基地局が、第１サブフレームで前記ＢＩを受信し、前記第１サブフレーム後の第２サブフレームで前記ＣＳＩを受信すること、または、
前記基地局が、独自符号化方式で符号化される前記ＢＩと前記ＣＳＩを同一のサブフレームで受信することを含む。
【００８７】
実施に際し、選択可能な実現方式として、前記基地局が前記ＢＩと前記ＣＳＩを毎回受信することは、
前記基地局が、前記ＢＩと前記ＣＳＩをＰＵＣＣＨで受信すること、または、
前記基地局が、前記ＢＩと前記ＣＳＩを異なるサブフレームのＰＵＳＣＨで受信すること、または、
前記基地局が、前記ＢＩをＰＵＣＣＨで受信し、前記ＣＳＩをＰＵＳＣＨで受信すること、または、
前記基地局が、前記ＣＳＩをＰＵＳＣＨで受信し、前記ＢＩをＰＵＣＣＨで受信することを含む。
【００８８】
第１５形態として、本発明の実施例による第４のチャネル状態情報ＣＳＩの送信装置は、
基地局から設定されたチャネル測定用のＣＳＩプロセス中の異なる参照信号伝送用リソースに異なるアンテナポート数を有すると決定するための決定モジュールと、
予め設定されたレポート順に、異なる参照信号伝送用リソースで測定して得たチャネル状態情報ＣＳＩを順に送信するための送信モジュールと、を含む。
【００８９】
実施に際し、選択可能な実現方式として、前記送信モジュールは、
測定して得た参照信号伝送用リソースの番号指標であるＢＩを送信する。
【００９０】
実施に際し、選択可能な実現方式として、前記送信モジュールは、具体的に、
第１サブフレームで前記ＢＩを送信し、前記第１サブフレーム後の第２サブフレームで前記ＣＳＩを送信し、または、
独自符号化方式で符号化される前記ＢＩと前記ＣＳＩを同一のサブフレームで送信する。
【００９１】
実施に際し、選択可能な実現方式として、前記送信モジュールは、具体的に、
前記ＢＩと前記ＣＳＩをＰＵＣＣＨで送信し、または、
前記ＢＩと前記ＣＳＩを異なるサブフレームのＰＵＳＣＨで送信し、または、
前記ＢＩをＰＵＣＣＨで送信し、前記ＣＳＩをＰＵＳＣＨで送信し、または、
前記ＣＳＩをＰＵＳＣＨで送信し、前記ＢＩをＰＵＣＣＨで送信する。
【００９２】
第１６形態として、本発明の実施例による第４のチャネル状態情報ＣＳＩの受信装置は、
端末が異なる参照信号伝送用リソースを測定して得たＣＳＩを順に受信するための受信モジュールと、
前記端末に設定するチャネル測定用のＣＳＩプロセス中の異なるアンテナポート数を有すると決定するための決定モジュールと、
予め設定されたレポート順に、参照信号伝送用リソース毎に対応するＲＩのビット数を決定し、前記ＲＩのビット数に基づいて、当該参照信号伝送用リソースに対応するＣＳＩの復号を行うための復号モジュールと、を含む。
【００９３】
実施に際し、選択可能な実現方式として、前記受信モジュールは、
前記端末で測定して得た参照信号伝送用リソースの番号指標であるＢＩを前記端末から受信する。
【００９４】
実施に際し、選択可能な実現方式として、前記受信モジュールは、具体的に、
第１サブフレームで前記ＢＩを受信し、前記第１サブフレーム後の第２サブフレームで前記ＣＳＩを受信し、または、
独自符号化方式で符号化される前記ＢＩと前記ＣＳＩを同一のサブフレームで受信する。
【００９５】
実施に際し、選択可能な実現方式として、前記受信モジュールは、具体的に、
前記ＢＩと前記ＣＳＩをＰＵＣＣＨで受信し、または、
前記ＢＩと前記ＣＳＩを異なるサブフレームのＰＵＳＣＨで受信し、または、
前記ＢＩをＰＵＣＣＨで受信し、前記ＣＳＩをＰＵＳＣＨで受信し、または、
前記ＣＳＩをＰＵＳＣＨで受信し、前記ＢＩをＰＵＣＣＨで受信する。
【００９６】
本発明の実施例による第４のチャネル状態情報の伝送方法および装置において、前記端末は、予め設定されたレポート順に、各参照信号伝送用リソースで測定して得たＣＳＩを順に送信する。基地局は、端末のレポート順を予め知ることができるため、端末から毎回送信したＲＩに対応するビット数を順に決定することができる。さらに、基地局は、ＲＩに対応するビット数に基づいて、端末から送信されたＣＳＩの復号を行うことによって、端末で測定して得たＲＩを得ることができる。
【発明の効果】
【００９７】
本発明の上記具体的な実施例の少なくとも１つは、以下の有益な効果を有する。
本発明の各実施例による各種類のチャネル状態情報の伝送方法および装置によれば、異なるＣＳＩ−ＲＳリソースに設定されるアンテナポート数が異なることがあるためｅＮＢの復号複雑度、電力損失および復号ミスが増えるという従来技術の問題を少なくとも一部的に解決する。対応的にｅＮＢの復号複雑度、電力損失および復号ミスを効果的に低下させることができる。
【図面の簡単な説明】
【００９８】
本発明の実施例や従来技術の技術手段をより明確に説明するために、以下、実施例の記載に必要とされる図面を簡単に紹介する。明らかに、以下の記載に関する図面は、単に本発明の一部の実施例である。当業者にとって、創造性のある作業をしない前提で、これらの図面から他の図面を得ることもできる。
【００９９】
【図１Ａ】２次元アンテナの構造模式図である。
【図１Ｂ】２次元アンテナの構造模式図である。
【図１Ｃ】２次元アンテナの構造模式図である。
【図１Ｄ】２次元アンテナの構造模式図である。
【図２】垂直次元セクターの模式図である。
【図３】本発明の実施例における第１のチャネル状態情報送信方法のフローチャートである。
【図４Ａ】本発明の実施例における第１の統合符号化の模式図である。
【図４Ｂ】本発明の実施例における第２の統合符号化の模式図である。
【図５】本発明の実施例における第１のチャネル状態情報受信方法のフローチャートである。
【図６】本発明の実施例における第２のチャネル状態情報送信方法のフローチャートである。
【図７Ａ】端末から指標情報と符号化情報を異なるサブフレームで基地局にレポートする模式図である。
【図７Ｂ】端末から指標情報と符号化情報を同一のサブフレームで基地局にレポートする模式図である。
【図８】本発明の実施例における第２のチャネル状態情報受信方法のフローチャートである。
【図９】本発明の実施例における第３のチャネル状態情報送信方法のフローチャートである。
【図１０】本発明の実施例における第３のチャネル状態情報受信方法のフローチャートである。
【図１１】本発明の実施例における第４のチャネル状態情報送信方法のフローチャートである。
【図１２】本発明の実施例における第４のチャネル状態情報受信方法のフローチャートである。
【図１３】本発明の実施例における第１のチャネル状態情報送信装置の機能的モジュール模式図である。
【図１４】本発明の実施例における第１のチャネル状態情報受信装置の機能的モジュール模式図である。
【図１５】本発明の実施例における第２のチャネル状態情報送信装置の機能的モジュール模式図である。
【図１６】本発明の実施例における第２のチャネル状態情報受信装置の機能的モジュール模式図である。
【図１７】本発明の実施例における第３のチャネル状態情報送信装置の機能的モジュール模式図である。
【図１８】本発明の実施例における第３のチャネル状態情報受信装置の機能的モジュール模式図である。
【図１９】本発明の実施例における第４のチャネル状態情報送信装置の機能的モジュール模式図である。
【図２０】本発明の実施例における第４のチャネル状態情報受信装置の機能的モジュール模式図である。
【図２１】本発明の実施例における端末の構造模式図である。
【図２２】本発明の実施例における基地局の構造模式図である。
【発明を実施するための形態】
【０１００】
以下、本発明の具体的な実施形態を図面と実施例にて更に記載する。以下の実施例は、単に本発明の説明に用いられ、本発明の範囲を限定するためのものではない。
【０１０１】
本発明の実施例の目的、技術手段及び利点をより明確にするために、以下、本発明の実施例の図面にて本発明の実施例の技術手段を明確且つ完全に記載する。明らかに、記載する実施例は、本発明の実施例の一部であり、全てではない。記載する本発明の実施例に基づき、当業者が為しえる全ての実施例は、いずれも本発明の保護範囲に属するものである。
【０１０２】
別途に定義することを除き、ここで使用される技術用語や科学用語は、本発明の所属する分野の一般技能を持つ者に理解される通常の意味である。本発明の明細書及び特許請求の範囲に使用される「第１」、「第２」及び類似用語は、単に異なる構成部分を区別するためのものであり、順番、数量又は重要度を一切表さない。同様に、「１つ」又は「一」など類似用語は、少なくとも１つ存在することを表し、数の限定ではない。「接続」や「連結」など類似用語は、物理や機械的接続に限定するのではなく、直接か間接かを関係なしに電気的接続も含む。「上」、「下」、「左」、「右」などは、単に相対的位置関係を表すものであり、記載対象の絶対位置が変わると、当該相対的位置関係も対応的に変わる。
【０１０３】
以下、明細書の図面にて本発明の実施例をさらに詳細に記載する。なお、ここで記載した実施例は、単に本発明の説明と解釈に用いられ、本発明を限定するためのものではない。
【０１０４】
本発明の実施例による１つのチャネル状態情報送信方法において、図３に示すように、以下のステップを含む。
Ｓ３１において、端末は、ＢＩとＲＩの統合符号化に使用される第１ビット数を決定する。ここで、前記ＢＩは、前記端末で測定して得たＲＩに対応する参照信号伝送用リソースの番号指標であり、異なる参照信号伝送用リソースに対応するＲＩと前記ＢＩの統合符号化に使用される第１ビット数が同一である。
Ｓ３２において、前記端末は、前記第１ビット数に基づいて、測定して得たＲＩと前記ＢＩの統合符号化を行って符号化情報を得、前記符号化情報を送信する。
【０１０５】
本発明の実施例において、端末は、まずＢＩとＲＩの統合符号化に使用される第１ビット数を決定してから、前記第１ビット数に基づいて、測定して得たＲＩと前記ＢＩの統合符号化を行ってレポートする。異なる参照信号伝送用リソースに対応するＲＩと当該リソースの番号を示すＢＩの統合符号化に使用される第１ビット数が同一であるため、基地局は、第１ビット数に基づいて、端末からレポートされる符号化情報の統合復号を行うことによって、前記端末が測定してレポートする参照信号伝送用リソース対応ＲＩと前記ＢＩを得ることができる。基地局におけるブラインド検出を必要とされないため、基地局側の復号複雑度、電力損失および復号ミスを低下させる。
【０１０６】
なお、本発明の実施例におけるビット数（例えば第１ビット数、第２ビット数、ビット総数など）が負荷と称されてもよいため、第１ビット数が第１負荷、第２ビット数が第２負荷、ビット総数が総負荷のように称されてもよい。
【０１０７】
２次元アンテナの３Ｄ  ＭＩＭＯシステムにおいて、プリコーディングは、水平方向のみならず、垂直方向でも行われる。典型的な応用場面である垂直次元セクター化の意味について、図２を例として解釈する。図２では、基地局の１６アンテナが４つのアンテナポートに仮想化され、すなわち、垂直次元の４本のアンテナが１つのポートに仮想化される。基地局の垂直次元を３つのセクターに区分して１つのビルをカバーし、各セクターに１つの４ポートチャネル状態情報参照信号ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）リソースを設定すると、計３つの４ポートＣＳＩ−ＲＳリソースが必要とされる。一方、ＵＥに対し、１つのチャネルフィードバック用のＣＳＩプロセスフィードバックを設定する。したがって、当該ＵＥがホームセクターでフィードバックするチャネル状態情報（ＣＳＩ）は、ランク指標ＲＩ（Ｒａｎｋ  Ｉｎｄｉｃａｔｉｏｎ）、プリコード化マトリクス指標ＰＭＩ（Ｐｒｅｃｏｄｉｎｇ  Ｍａｔｒｉｘ  Ｉｎｄｉｃａｔｏｒ）およびチャネル品質指標ＣＱＩ（Ｃｈａｎｎｅｌ  Ｑｕａｌｉｔｙ  Ｉｎｄｉｃａｔｏｒ）のうちの少なくとも１つを含む。ここで、ＲＩは、現在のチャネル状態でＵＥにどのくらいのストリームのデータの受信が可能であるかを示す。ＰＭＩは、１つのインデックスとして一定のコードブック（ｃｏｄｅｂｏｏｋ）中の１つのプリコーディングマトリクス（ｐｒｅｃｏｄｉｎｇ  ｍａｔｒｉｘ）を指し、ＵＥからｅＮＢに提案するダウンリンク用のプリコーディングマトリクスを示す。ＣＱＩは、ｅＮＢがＵＥからフィードバックされるＲＩ／ＰＭＩを用いてプリコーディングを行う場合のダウンリンク信号の強度を示す。ＵＥに複数のＣＳＩプロセス（例えば３つのＣＳＩプロセス）フィードバックが設定されると、当該ＵＥから複数（例えば３）のチャネル状態情報がフィードバックされる。類似方法では、基地局に８ポート（あるいはそれ以上）が設定されると、垂直次元を３つのセクターに区分した場合、３つの８ポートＣＳＩ−ＲＳを送信する必要がある。
【０１０８】
ＬＴＥ（Ｌｏｎｇ  Ｔｅｒｍ  Ｅｖｏｌｕｔｉｏｎ）システムを例とし、ＣＳＩフィードバックは、以下の工程で行われる。
ｅＮＢは、ＵＥに１つのＣＳＩプロセスを設定する。当該ＣＳＩプロセスは、Ｋ（１以上の整数）個のＣＳＩ−ＲＳリソースに対応し、ここで、第ｋ（１≦ｋ≦Ｋ）個のリソースにＮｋ個のアンテナポートを有する。ｅＮＢは、異なるＣＳＩ−ＲＳリソースにおいて、異なるプリコーディングマトリクスを用いてプリコーディングを行うことができる。例えば、ｅＮＢは、第１ＣＳＩ−ＲＳリソースにおいて、第１プリコーディングマトリクスＶ１を用いてプリコーディングを行い、第２ＣＳＩ−ＲＳリソースにおいて、第２プリコーディングマトリクスＶ２を用いてプリコーディングを行い、第３ＣＳＩ−ＲＳリソースにおいて、第３プリコーディングマトリクスＶ３を用いてプリコーディングを行う。
【０１０９】
ＵＥは、Ｋ個のＣＳＩ−ＲＳリソースにおいてチャネル測定を行って最適なＣＳＩ−ＲＳリソースを選択する。例えば、ＵＥは、Ｋ＝３個のプリコーディング後のＣＳＩ−ＲＳリソースを測定し、最適なＣＳＩ−ＲＳリソースを選択する（例えば、最大ＲＳＲＰ（ｒｅｆｅｒｅｎｃｅ  ｓｙｍｂｏｌ  ｒｅｃｅｉｖｅｄ  ｐｏｗｅｒ）に対応するＣＳＩ−ＲＳリソースを選択するか、最大ＣＱＩ（Ｃｈａｎｎｅｌ  Ｑｕａｌｉｔｙ  Ｉｎｄｉｃａｔｏｒ）に対応するＣＳＩ−ＲＳリソースを選択するか、最大データレートに対応するＣＳＩ−ＲＳリソースを選択する。）。ＵＥは、選択した最適なＣＳＩ−ＲＳリソースの番号をビーム指標ＢＩ（Ｂｅａｍ  Ｉｎｄｉｃｔｏｒ）によってフィードバックする。当該ＢＩは、ＣＳＩフィードバックに対応するＣＳＩ−ＲＳリソースの番号指標である。ＵＥは、選択した最適なＣＳＩ−ＲＳリソースにおいて測定をしてＣＳＩをフィードバックする。当該ＣＳＩは、ＲＩとＣＱＩ／ＰＭＩを含む。
【０１１０】
ｅＮＢは、ＵＥからレポートされるＢＩとＣＳＩを受信し、受信したＢＩに基づいて、どのＣＳＩ−ＲＳリソースが最適なリソースであるかを決定し、対応してＣＳＩフィードバックの復号を行う。選択可能に、復号して得たＣＳＩフィードバックに基づいてダウンリンクデータを伝送する。
【０１１１】
現在のプロトコルにおいて、各ＣＳＩプロセスは、１つのＣＳＩ−ＲＳリソースに対応し、１つのＲＩとＣＱＩ／ＰＭＩをフィードバックする。ＲＩのビット数（負荷（ｐａｙｌｏａｄ）とも称される）は、ＵＥが受信可能な最大ダウンリンクデータレイヤ数（Ｍａｘｉｍｕｍ  ｎｕｍｂｅｒ  ｏｆ  ｌａｙｅｒｓ；ＵＥが対応可能な最大ストリーム数とも称される）とＣＳＩ−ＲＳポート数によって決定され、ここで、ＣＳＩ−ＲＳリソースがｅＮＢからＵＥに設定される。例えば、ＵＥに２レイヤのデータ伝送受信力を有し１つの４ポートＣＳＩ−ＲＳリソースが設定されると、ＲＩのビット数は、ｌｏｇ２（ｍｉｎ（２，４））＝１ビットであり、フィードバックされるＲＩの値は、１または２である。また、例えば、ＵＥに４レイヤのデータ伝送受信力を有すると、ＲＩのビット数は、２であり、フィードバックされるＲＩの値は、１、２、３または４である。ｅＮＢとＵＥではＲＩの負荷に対し共通の認識が持たれるため、ｅＮＢは、ＣＳＩフィードバックを直接復号することができる。
【０１１２】
プリコーディング方式でＣＳＩ−ＲＳを設定する場合、１つのＣＳＩプロセスにＫ≧１個のＣＳＩ−ＲＳリソースが設定され、第ｋ個のリソースにＮｋ個のポートを含む。Ｋ＞１の場合、Ｋ個のＣＳＩ−ＲＳリソースに対応するポート数は、異なることがある。例えば、Ｎｋは、｛１，２，４，８｝のうちの１つの数値である。Ｎｋは、１２や１６など、より大きい数値であってもよい。ＢＩに基づいて、ＣＳＩフィードバックのＲＩは、異なるビット数を有する可能性がある。一般性を失わずに、Ｋ＝２個のＣＳＩ−ＲＳリソースに対応するＣＳＩプロセスを考え、ここで、Ｎ１＝２、Ｎ２＝４、ＢＩ＝１の場合、ＲＩのレポートは、第１個のＣＳＩ−ＲＳリソースに基づいて行われ、ＲＩのビット数が１である。ＢＩ＝２の場合、ＲＩのレポートは、第２個のＣＳＩ−ＲＳリソースに基づいて行われ、ＲＩのビット数が２である。ＢＩとＲＩとは、統合符号化をされた場合、統合復号をされなければならない。しかし、異なるＣＳＩ−ＲＳリソースに対応するアンテナポート数が同一に限らないため、ＲＩのビット数も異なる可能性がある。このような場合、ｅＮＢは、ありうるＢＩ／ＲＩのビット総数にしか基づいてブラインド検出を行うことができない。ｅＮＢによるＢＩ／ＲＩの復号の前に、ｅＭＢは、ＢＩの値を知らなければ、ＲＩのビット数を知らないことであり、ＢＩ／ＲＩのビット総数を知らない。このように、ｅＮＢは、すべてのありうるＢＩ／ＲＩのビット総数に対しブラインド検出をしなければならず、ｅＮＢ復調の複雑度が大幅に増加する。上記例の場合、ｅＮＢは、ＢＩ／ＲＩのビット総数の２（ＢＩのビット数が１であり、ＲＩのビット数が１である。）と３（ＢＩのビット数が１であり、ＲＩのビット数が２である。）に基づいてブラインド検出をする必要がある。これによって、ｅＮＢによる復号の複雑度、電力損失および復号ミスが増加し、システム性能を低下させる。
【０１１３】
本発明の実施例において、参照信号伝送用リソースで伝送される参照信号は、ＣＳＩ−ＲＳ、ＣＲＳ（Ｃｅｌｌ−ｓｐｅｃｉｆｉｃ  Ｒｅｆｅｒｅｎｃｅ  Ｓｉｇｎａｌｓ）を含むが、そのいずれかに限定されない。
【０１１４】
なお、本発明の実施例において、ＢＩとＲＩの統合符号化は、２種類の選択可能な実現方式を含む。方式１は、図４Ａに示すように、ＢＩとＲＩのビットが連結（ｃｏｎｃａｔｅｎａｔｉｏｎ）されてから、生成されたビットストリームが符号化（ｅｎｃｏｄｉｎｇ）モジュールに入力されて符号化される。別の方式は、図４Ｂに示すように、ＢＩとＲＩは、２つの変数として符号化モジュールに入力されて符号化される。異なるＲＩとＢＩの値に対応し、符号化モジュールの入力に異なる状態（ｓｔａｔｅ）が存在する。異なるＲＩとＢＩの組み合わせに対応し、符号化モジュールは、入力変数の状態に応じて符号化を行う。
【０１１５】
実施に際し、ステップＳ３１で前記端末がビーム指標ＢＩとランク指標ＲＩの統合符号化に使用される第１ビット数を決定することは、下記の選択可能な実現方式を含む。
【０１１６】
方式Ａ：当該方式において、前記ＲＩの符号化に使用される第２ビット数は、参照信号伝送用リソースに対応するアンテナポートの最大数の関数である。
具体的に、前記端末は、
すべての参照信号伝送用リソースに対応するＲＩのビット数を決定し、
異なる参照信号伝送用リソースに対応するＲＩのビット数の最大値に基づいて、前記ＲＩの符号化に使用される第２ビット数を決定し、
前記第２ビット数と前記ＢＩに対応するビット数に基づいて、前記第１ビット数を決定する。
【０１１７】
当該方式において、前記端末がすべての参照信号伝送用リソースに対応するＲＩのビット数を決定することは、さらに下記２種類の選択可能な実現方式を含む。
【０１１８】
方式Ａ１：参照信号伝送用リソース毎に対応するＲＩのビット数は、当該リソースのポート数によって決定される。
具体的に、前記端末は、参照信号伝送用リソース毎に対応するアンテナポート数に基づいて、参照信号伝送用リソース毎に対応するＲＩのビット数を決定する。
【０１１９】
当該方式において、前記端末は、前記ＲＩの符号化に使用される第２ビット数を
【数２２】
2018534856.tif 000024
と決定する。
【０１２０】
例えば、Ｋ＝２、Ｎ１＝２、Ｎ２＝４とすると、第２ビット数は、ｌｏｇ２（４）＝２である。前記ＢＩに対応するビット数は、１であり、端末によって決定される第１ビット数は、２＋１＝３である。
【０１２１】
方式Ａ２：参照信号伝送用リソース毎に対応するＲＩのビット数は、当該リソースのポート数と前記端末の対応可能な最大ストリーム数のうちの最小値によって決定される。
具体的に、前記端末は、参照信号伝送用リソース毎に対応するアンテナポート数と前記端末の対応可能な最大ストリーム数のうちの最小値に基づいて、参照信号伝送用リソース毎に対応するＲＩのビット数を決定する。
【０１２２】
当該方式において、前記端末は、前記ＲＩの符号化に使用される第２ビット数を
【数２３】
2018534856.tif 000025
と決定する。
【０１２３】
例えば、Ｋ＝２、Ｎ１＝２、Ｎ２＝４とすると、第２ビット数は、１である。前記ＢＩに対応するビット数は、１であり、端末によって決定される第１ビット数は、１＋１＝２である。
【０１２４】
上記方式Ａ１または方式Ａ２に基づいて、当該方法において、
前記端末は、測定して得た参照信号伝送用リソースに対応するＲＩのビット数が前記第２ビット数より小さいと決定した場合、測定して得た参照信号伝送用リソースに対応するＲＩを得るように、測定して得た参照信号伝送用リソースに対応するＲＩにビットスタッフィングを行うことをさらに含む。
【０１２５】
例えば、ＵＥにフィードバックされるＢＩの値が１（ビット値が０である）であれば、ＲＩは、第１リソースで測定して得られる。ＲＩのビット数は、１ｂｉｔである。当該ＲＩのビット数は、ｌｏｇ２（４）＝２より小さい。この場合、ＵＥは、第１リソースで測定して得た１ｂｉｔのＲＩに対しビットスタッフィングを行い、スタッフィング後のＲＩのビット数を２ｂｉｔｓにする。例として、スタッフィングするビット値が０であり、ＲＩビット値の前にスタッフィングするのであれば、ＲＩ＝１（すなわちビット値が０である）の場合、スタッフィング後のビットシーケンスは、００となり、ＲＩ＝２（すなわちビット値が１である）の場合、スタッフィング後のビットシーケンスは、０１となる。ＵＥにフィードバックされるＢＩの値が２（ビット値が１である）であれば、ＲＩは、第２リソースで測定して得られる。ＲＩのビット数は、２ｂｉｔｓである。当該ＲＩのビット数がｌｏｇ２（４）＝２に等しいため、この場合、ＲＩのビット値に対しビットスタッフィングを行う必要がない。その後ＢＩとＲＩビットが連結してから３ビットシーケンスを生成する。一般性を失わずに、当該ビットシーケンス中の第１個のビットは、１ｂｉｔのＢＩを示し、第２、第３個のビットは、ビットスタッフィング後の２ｂｉｔｓのＲＩを示す。ＵＥは、連結後の３ｂｉｔｓのＢＩとＲＩの情報を符号化モジュールに送信し、符号化の後にアップリンクチャネルで送信する。
【０１２６】
別の記載方式として、上記方法と同等効果の方法において、ＵＥが最適なＣＳＩ−ＲＳリソースを選択してその番号指標であるＢＩを得た後に、対応する最適なＣＳＩ−ＲＳリソースで測定して得たＲＩの値は、二進法ビットシーケンスに変換される際にｎ
【数２４】
2018534856.tif 000026
ｂｉｔｓのビットシーケンスに変換される。例えばＢＩ＝１であり、対応して選択する最適なパイロットリソースが第１ＣＳＩ−ＲＳリソースである場合、ＲＩの値は、１または２である。ビットシーケンスに変換される場合、第１ＣＳＩ−ＲＳリソースで測定して得たＲＩは、ｌｏｇ２（４）＝２ビットのビットシーケンスに変換される。例えば、ＲＩ＝１が００に、ＲＩ＝２が０１に変換される。言い換えれば、ＲＩの取り得る値が２つしかなく（ＲＩ＝１またはＲＩ＝２）１ｂｉｔのビットシーケンスによって示されるが、ビットシーケンスに変換される場合、依然として
【数２５】
2018534856.tif 000027
のビットシーケンスに変換される。
【０１２７】
選択可能に、ビットスタッフィングの際に、１を用いてスタッフィングしてもよく、０を用いてスタッフィングしてもよいが、スタッフィングするビットの値を限定してもよい。本発明の具体的な実施例において、ビットスタッフィングの具体値を一切限定せず、当業者が必要に応じて適切に選択すればよい。
【０１２８】
選択可能に、ビットスタッフィングの際に、スタッフィングするビットは、ＲＩのビット値より先であってもよく、ＲＩのビット値より後であってもよいが、ＲＩのビット値のほかの位置（例えば真ん中）であってもよい。本発明の具体的な実施例において、ビットスタッフィングの具体的な位置を一切限定せず、当業者が必要に応じて適切に選択すればよい。
【０１２９】
当該方式において、統合符号化して得た符号化情報のうち、先頭からＭ１個のビットは、前記ＢＩを示し、末尾からＭ２個のビットは、前記ＲＩを示す。または、先頭からＭ１個のビットは、前記ＲＩを示し、末尾からＭ２個のビットは、前記ＢＩを示す。ここで、Ｍ１とＭ２の和は、前記第１ビット数である。例えば、前記端末によって決定される第１ビット数が３である場合、当該３ビット情報のうち、第１個のビットは、前記ＢＩを示し、第２、第３個のビットは、前記ＲＩを示す。
【０１３０】
方式Ｂ：当該方式において、前記第１ビット数は、すべての参照信号伝送用リソースにありうるＲＩの値の総数の関数である。
具体的に、前記端末は、すべての参照信号伝送用リソースに対応するＲＩの取り得る値の総数を決定し、
すべての参照信号伝送用リソースに対応するＲＩの取り得る値の総数に基づいて、前記第１ビット数を決定する。
【０１３１】
例えば、Ｋ＝２、Ｎ１＝２、Ｎ２＝４とすると、第１個の参照信号伝送用リソースに対応するＲＩのビット数が１であれば、当該ＲＩの取り得る値は、１または２である。第１個の参照信号伝送用リソースに対応するＲＩのビット数が２であれば、当該ＲＩの取り得る値は、１（ビット値が００である）または２（ビット値が０１である）または３（ビット値が１０である）または４（ビット値が１１である）である。したがって、総数が６になり、決定される前記第１ビット数は、
【数２６】
2018534856.tif 000028
である。統合符号化の際に、３ビット情報によって、異なる参照信号伝送用リソースに対応するＲＩを示すことができる。
例えば、０００は、ＢＩが第１ＣＳＩ−ＲＳリソースに対応することを示し、第１個の参照信号伝送用リソースに対応するＲＩの値は、１である。
００１は、ＢＩが第１ＣＳＩ−ＲＳリソースに対応することを示し、第１個の参照信号伝送用リソースに対応するＲＩの値は、２である。
０１０は、ＢＩが第２ＣＳＩ−ＲＳリソースに対応することを示し、第２個の参照信号伝送用リソースに対応するＲＩの値は、１である。
０１１は、ＢＩが第２ＣＳＩ−ＲＳリソースに対応することを示し、第２個の参照信号伝送用リソースに対応するＲＩの値は、２である。１
００は、ＢＩが第２ＣＳＩ−ＲＳリソースに対応することを示し、第２個の参照信号伝送用リソースに対応するＲＩの値は、３である。
１０１は、ＢＩが第２ＣＳＩ−ＲＳリソースに対応することを示し、第２個の参照信号伝送用リソースに対応するＲＩの値は、４である。
【０１３２】
当該方式において、前記端末がすべての参照信号伝送用リソースに対応するＲＩの取り得る値の総数を決定することは、さらに下記２種類の選択可能な実現方式を含む。
【０１３３】
方式Ｂ１：参照信号伝送用リソース毎に対応するＲＩの取り得る値の総数は、当該リソースに対応するアンテナポート数によって決定される。
具体的に、前記端末は、すべての参照信号伝送用リソースに対応するアンテナポートの総数を、すべての参照信号伝送用リソースに対応するＲＩの取り得る値の総数として決定する。
【０１３４】
当該方式において、前記端末によって決定される前記第１ビット数は、
【数２７】
2018534856.tif 000029
である。
【０１３５】
例えば、Ｋ＝２、Ｎ１＝２、Ｎ２＝４とすると、
【数２８】
2018534856.tif 000030
になる。
【０１３６】
方式Ｂ２：参照信号伝送用リソース毎に対応するＲＩの取り得る値の総数は、当該リソースに対応するアンテナポート数と前記端末の対応可能な最大ストリーム数のうちの最小値によって決定される。
具体的に、前記端末は、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定する。
【０１３７】
当該方式において、前記端末によって決定される前記第１ビット数は、
【数２９】
2018534856.tif 000031
である。
【０１３８】
例えば、Ｋ＝２、Ｎ１＝２、Ｎ２＝４、Ｌ＝２とすると、
【数３０】
2018534856.tif 000032
になる。
【０１３９】
同一の発明思想に基づいて、本発明の実施例は、図３に示す送信方法に対応するチャネル状態情報受信方法を提供し、図５に示すように、下記ステップを含む。
Ｓ５１において、基地局は、ＢＩとＲＩの統合符号化に使用される第１ビット数を決定する。ここで、前記ＢＩは、前記端末で測定して得たＲＩに対応する参照信号伝送用リソースの番号指標であり、異なる参照信号伝送用リソースに対応するＲＩと前記ＢＩの統合符号化に使用される第１ビット数が同一である。
Ｓ５２において、前記基地局は、前記第１ビット数に基づいて、前記端末が測定して送信した参照信号伝送用リソースに対応するＲＩとＢＩの統合符号化による符号化情報の統合復号を行い、前記端末で測定した参照信号伝送用リソースに対応するＲＩを得る。
【０１４０】
本発明の実施例において、基地局は、まずＢＩとＲＩの統合符号化に使用される第１ビット数を決定してから、第１ビット数に基づいて、前記端末が測定して送信した参照信号伝送用リソースに対応するＲＩとＢＩの統合符号化による符号化情報の統合復号を行うことによって、前記端末で測定した参照信号伝送用リソースに対応するＲＩを得る。異なる参照信号伝送用リソースで測定したＲＩと前記ＢＩの統合符号化に使用される第１ビット数が同一であるため、基地局は、第１ビット数に基づいて、端末から送信される符号化情報の統合復号を行うことによって、前記端末が測定して送信した参照信号伝送用リソースに対応するＲＩと前記ＢＩを得ることができる。基地局におけるブラインド検出を必要とされないため、基地局側の復号複雑度、電力損失および復号ミスを低下させる。
【０１４１】
選択可能な実現方式として、前記基地局がビーム指標ＢＩとランク指標ＲＩの統合符号化に使用される第１ビット数を決定することは、
前記基地局が、すべての参照信号伝送用リソースに対応するＲＩのビット数を決定することと、
前記基地局が、異なる参照信号伝送用リソースに対応するＲＩのビット数の最大値に基づいて、前記ＲＩの符号化に使用される第２ビット数を決定することと、
前記基地局が、前記第２ビット数と前記ＢＩに対応するビット数に基づいて、前記第１ビット数を決定することと、を含む。
【０１４２】
選択可能に、前記基地局がすべての参照信号伝送用リソースに対応するＲＩのビット数を決定することは、
前記基地局が、参照信号伝送用リソース毎に対応するアンテナポート数に基づいて、参照信号伝送用リソース毎に対応するＲＩのビット数を決定すること（具体的に上記方式Ａ１を参照されたい）、または、
前記基地局が、参照信号伝送用リソース毎に対応するアンテナポート数と前記端末の対応可能な最大ストリーム数のうちの最小値に基づいて、参照信号伝送用リソース毎に対応するＲＩのビット数を決定すること（具体的に上記方式Ａ２を参照されたい）、を含む。
【０１４３】
選択可能に、Ｓ５２において、具体的に、
前記基地局は、前記第１ビット数に基づいて、前記端末から送信された符号化情報の統合復号を行い、前記ＢＩと前記ＲＩを得、
前記基地局は、前記ＢＩに基づいて、前記端末で測定して得た参照信号伝送用リソースに対応するＲＩのビット数が前記第２ビット数より小さいと決定し、
前記基地局は、前記ＲＩと所定のビットスタッフィングルールに基づいて、前記端末で測定して得た参照信号伝送用リソースに対応するＲＩを得る。
【０１４４】
別の選択可能な実現方式として、前記基地局がビーム指標ＢＩとランク指標ＲＩの統合符号化に使用される第１ビット数を決定することは、
前記基地局が、すべての参照信号伝送用リソースに対応するＲＩの取り得る値の総数を決定することと、
前記基地局が、すべての参照信号伝送用リソースに対応するＲＩの取り得る値の総数に基づいて、前記第１ビット数を決定することと、を含む。
【０１４５】
選択可能に、前記基地局が、すべての参照信号伝送用リソースに対応するＲＩの取り得る値の総数を決定することは、
前記基地局が、すべての参照信号伝送用リソースに対応するアンテナポートの総数を、すべての参照信号伝送用リソースに対応するＲＩの取り得る値の総数として決定すること（具体的に上記方式Ｂ１を参照されたい）、または、
前記基地局が、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定すること（具体的に上記方式Ｂ２を参照されたい）、を含む。
【０１４６】
選択可能に、前記基地局によって決定された前記第１ビット数は、
【数３１】
2018534856.tif 000033
である。
【０１４７】
本発明の実施例による第２のチャネル状態情報送信方法は、図６に示すように、下記ステップを含む。
Ｓ６１において、端末は、ＢＩと、参照信号伝送用リソースを測定して得たＲＩのビット総数を決定する。ここで、前記ＢＩは、前記端末で測定して得た参照信号伝送用リソースの番号指標である。
Ｓ６２において、前記端末は、前記ビット総数に基づいて、前記ＲＩと前記ＢＩの統合符号化を行って符号化情報を得、前記ＢＩと前記ＲＩのビット総数を示す指標情報と前記符号化情報を送信する。
【０１４８】
本発明の実施例において、前記端末からＢＩと参照信号伝送用リソースを測定して得たＲＩのビット総数を示す指標情報と前記符号化情報が送信されることによって、基地局は、指標情報に基づいて、ＢＩと端末で参照信号伝送用リソースを測定して得たＲＩのビット総数を決定することができる。さらに、基地局は、決定したビット総数に基づいて、端末から受信した符号化情報の統合復号を行うことによって、端末で参照信号伝送用リソースを測定して得たＲＩと端末で測定して得た参照信号伝送用リソースの番号指標であるＢＩを得ることができる。基地局におけるブラインド検出を必要とされないため、基地局側の復号複雑度、電力損失および復号ミスを低下させる。
【０１４９】
本発明の実施例において、参照信号伝送用リソースで伝送される参照信号は、ＣＳＩ−ＲＳ、ＣＲＳを含むが、そのいずれかに限定されない。
【０１５０】
実施に際し、選択可能な実現方式として、Ｓ６１において、端末は、上記方式Ａと方式Ｂに基づいて、ＢＩと参照信号伝送用リソースを測定して得たＲＩのビット総数を決定することができる。
【０１５１】
別の選択可能な実現方式として、Ｓ６１で端末がＢＩと参照信号伝送用リソースを測定して得たＲＩのビット総数を決定することは、
前記端末が、対応可能な最大ストリーム数と測定して得た参照信号伝送用リソースに対応するアンテナポート数のうちの最小値に基づいて、前記ＲＩに対応するビット数を決定することと、
前記端末が、前記ＲＩに対応するビット数とＢＩに対応するビット数に基づいて、前記ビット総数を決定することと、を含む。
【０１５２】
本発明の実施例において、ＣＳＩ−ＲＳを設定するのであれば、前記ＢＩと前記ＲＩのビット総数を示す指標情報は、ＣＳＩ負荷指標ＣＰＩ（ＣＳＩ  ｐａｙｌｏａｄ  ｉｎｄｉｃａｔｏｒ）と称されてもよい。
【０１５３】
例えば、表１のように、１ビットによってＣＰＩの異なる状態を示し、さらに異なるＲＩとＢＩのビット総数を示す。
【０１５４】
【表１】
2018534856.tif 000034
【０１５５】
選択可能に、前記指標情報のビット数は、
【数３２】
2018534856.tif 000035
、または、
【数３３】
2018534856.tif 000036
、または、
【数３４】
2018534856.tif 000037
、または、
【数３５】
2018534856.tif 000038
、または、
【数３６】
2018534856.tif 000039
である。
【０１５６】
実施に際し、Ｓ５２で前記端末が前記ＲＩと前記ＢＩのビット総数を示す指標情報と前記符号化情報を送信することは、下記２種類の選択可能な実現方式を含む。
【０１５７】
方式１：前記端末は、第１サブフレームで前記指標情報を送信し、前記第１サブフレーム後の第２サブフレームで前記符号化情報を送信する。
【０１５８】
例えば、図７Ａに示すように、ＣＰＩは、１つのサブフレームでレポートされ、ＢＩ／ＲＩは、別のサブフレームでレポートされる。すると、ＣＰＩレポートサブフレームのＣＰＩ内容は、後続のＢＩ／ＲＩレポートサブフレームのＢＩ／ＲＩのビット総数を示す。ここで、ＣＰＩレポートサブフレームは、ＣＰＩをレポートするためのサブフレームを示し、ＢＩ／ＲＩレポートサブフレームは、ＢＩ／ＲＩをレポートするためのサブフレームを示す。
【０１５９】
方式２：前記端末は、前記指標情報と前記符号化情報を同一のサブフレームで独自符号化方式で送信する。
【０１６０】
例えば、図７Ｂに示すように、ＣＰＩとＲＩ／ＢＩは、同一のサブフレームで伝送される。このような場合、ＣＰＩとＢＩ／ＲＩは、独自に符号化しなければならない。このように、基地局は、ＢＩ／ＲＩの統合復号に先立って、ＣＰＩを復号してＣＰＩに対応するビット総数を得ることができる。
【０１６１】
上記いずれの実施例に基づいて、前記指標情報と前記符号化情報がフィードバックされる物理チャネルについて、Ｓ５２で前記端末が前記ＲＩと前記ＢＩのビット総数を示す指標情報と前記符号化情報を送信することは、下記４種類の選択可能な実現方式を含む。
【０１６２】
方式１：前記端末は、前記指標情報と前記符号化情報をＰＵＣＣＨ（Ｐｈｙｓｉｃａｌ  Ｕｐｌｉｎｋ  Ｃｏｎｔｒｏｌ  Ｃｈａｎｎｅｌ）で送信する。
【０１６３】
当該方式において、前記端末は、前記指標情報と前記符号化情報を同一サブフレームのＰＵＣＣＨで送信することができる。この場合、前記指標情報と前記符号化情報は、独自に符号化しなければならない。前記端末は、前記指標情報と前記符号化情報を異なるサブフレームのＰＵＣＣＨで送信することもできるが、この場合、前記指標情報を送信してから前記符号化情報を送信する。
【０１６４】
方式２：前記端末は、前記指標情報と前記符号化情報を異なるサブフレームのＰＵＳＣＨで送信する。
【０１６５】
方式３：前記端末は、前記指標情報をＰＵＣＣＨで送信し、前記符号化情報をＰＵＳＣＨで送信する。
【０１６６】
方式４：前記端末は、前記指標情報をＰＵＳＣＨで送信し、前記符号化情報をＰＵＣＣＨで送信する。
【０１６７】
同一の発明思想に基づいて、本発明の実施例は、図６に示す送信方法に対応するチャネル状態情報受信方法を提供し、図８に示すように、下記ステップを含む。
Ｓ８１において、基地局は、ＢＩと参照信号伝送用リソースを測定して得たＲＩのビット総数を示す指標情報と符号化情報を受信する。ここで、前記ＢＩは、前記端末で測定して得た参照信号伝送用リソースの番号指標である。
Ｓ８２において、前記基地局は、前記指標情報で示すビット総数に基づいて、前記符号化情報の統合復号を行って前記ＲＩと前記ＢＩを得る。
【０１６８】
本発明の実施例において、基地局は、端末から送信されるＢＩと参照信号伝送用リソースを測定して得たＲＩのビット総数を示す指標情報に示されるビット総数に基づいて、端末から送信された符号化情報の統合復号を行うことによって、端末で参照信号伝送用リソースを測定して得たＲＩと端末で測定して得た参照信号伝送用リソースの番号指標であるＢＩを得ることができる。基地局におけるブラインド検出を必要とされないため、基地局側の復号複雑度、電力損失および復号ミスを低下させる。
【０１６９】
実施に際し、Ｓ８１で前記基地局がビーム指標ＢＩと参照信号伝送用リソースを測定して得たＲＩのビット総数を示す指標情報と符号化情報を受信することは、
前記基地局が、前記指標情報を第１サブフレームで受信し、前記符号化情報を前記第１サブフレーム後の第２サブフレームで受信すること、または、
前記基地局が、独自符号化方式で符号化される前記指標情報と前記符号化情報を同一のサブフレームで受信すること、を含む。
【０１７０】
上記いずれの実施例に基づいて、Ｓ８１で前記基地局がビーム指標ＢＩと参照信号伝送用リソースを測定して得たＲＩのビット総数を示す指標情報と符号化情報を受信することは、
前記基地局が、前記指標情報と前記符号化情報をＰＵＣＣＨで受信すること、または、
前記基地局が、前記指標情報と前記符号化情報を異なるサブフレームのＰＵＳＣＨで受信すること、または、
前記基地局が、前記指標情報をＰＵＣＣＨで受信し、前記符号化情報をＰＵＳＣＨで受信すること、または、
前記基地局が、前記指標情報をＰＵＳＣＨで受信し、前記符号化情報をＰＵＣＣＨで受信すること、を含む。
【０１７１】
本発明の実施例による別のチャネル状態情報送信方法は、図９に示すように、下記ステップを含む。
Ｓ９１において、端末は、基地局から設定されたチャネル測定用のＣＳＩプロセス中の異なる参照信号伝送用リソースに異なるアンテナポート数を有すると決定する。
Ｓ９２において、前記端末は、予め指定された参照信号伝送用リソースを測定し、測定して得たチャネル状態情報ＣＳＩを送信する。
【０１７２】
本発明の実施例において、端末は、予め指定された参照信号伝送用リソースを測定し、測定して得たＣＳＩを送信する。基地局は、端末がどの参照信号伝送用リソースで測定するかを予め知ることができるため、端末で測定して得た参照信号伝送用リソースに対応するＲＩのビット数を決定することができる。さらに、基地局は、ＲＩに対応するビット数に基づいて、端末から送信されたＣＳＩの復号を行うことによって、端末で測定して得たＲＩを得ることができる。
【０１７３】
実施の際に、予め指定された参照信号伝送用リソースに対応するＲＩのビット数は、前記端末の対応可能な最大ストリーム数と予め指定された参照信号伝送用リソースに対応するアンテナポート数のうちの最小値によって決定される。
【０１７４】
実施の際に、予め指定された参照信号伝送用リソースは、前記端末と前記基地局の間で約束されてもよく、前記基地局によって指定して前記端末に通知してもよく、さらに前記端末によって指定してＢＩで前記基地局にフィードバックしてもよい。
【０１７５】
選択可能に、当該方法において、前記端末が、測定して得た参照信号伝送用リソースの番号指標であるＢＩを送信することをさらに含む。
【０１７６】
選択可能に、前記端末は、前記ＢＩと前記ＣＳＩを送信する際に、
第１サブフレームで前記ＢＩを送信し、前記第１サブフレーム後の第２サブフレームで前記ＣＳＩを受信し、または、
独自符号化方式で符号化される前記ＢＩと前記ＣＳＩを同一のサブフレームで送信する。
【０１７７】
上記いずれの実施例に基づいて、前記端末は、前記ＢＩと前記ＣＳＩを送信する際に、
前記ＢＩと前記ＣＳＩをＰＵＣＣＨで送信し、または、
前記ＢＩと前記ＣＳＩを異なるサブフレームのＰＵＳＣＨで送信し、または、
前記ＢＩをＰＵＣＣＨで送信し、前記ＣＳＩをＰＵＳＣＨで送信し、または、
前記ＣＳＩをＰＵＳＣＨで送信し、前記ＢＩをＰＵＣＣＨで送信する。
【０１７８】
同一の発明思想に基づいて、本発明の実施例は、図９に示す送信方法に対応するチャネル状態情報受信方法を提供し、図１０に示すように、下記ステップを含む。
Ｓ１０１において、基地局は、前記端末に設定するチャネル測定用のＣＳＩプロセス中の異なる参照信号伝送用リソースに異なるアンテナポート数を有すると決定する。
Ｓ１０２において、前記基地局は、予め指定された参照信号伝送用リソースに対応するＲＩのビット数を決定し、前記ＲＩのビット数に基づいて、前記端末から送信されたチャネル状態情報ＣＳＩの復号を行って、前記端末で測定して得たＣＳＩを得る。
【０１７９】
実施に際し、予め指定された参照信号伝送用リソースに対応するＲＩのビット数は、前記端末の対応可能な最大ストリーム数と予め指定された参照信号伝送用リソースに対応するアンテナポート数のうちの最小値によって決定される。
【０１８０】
実施の際に、予め指定された参照信号伝送用リソースは、前記端末と前記基地局の間で約束されてもよく、前記基地局によって指定して前記端末に通知してもよく、さらに前記端末によって指定してＢＩで前記基地局にフィードバックしてもよい。
【０１８１】
選択可能に、当該方法において、前記基地局が、前記端末で測定して得た参照信号伝送用リソースの番号指標であるＢＩを前記端末から受信することをさらに含む。
【０１８２】
選択可能に、前記基地局は、前記ＢＩと前記ＣＳＩを受信する際に、
第１サブフレームで前記ＢＩを受信し、前記第１サブフレーム後の第２サブフレームで前記ＣＳＩを受信し、または、
独自符号化方式で符号化される前記ＢＩと前記ＣＳＩを同一のサブフレームで受信する。
【０１８３】
上記いずれの実施例に基づいて、前記基地局は、前記ＢＩと前記ＣＳＩを受信する際に、
前記ＢＩと前記ＣＳＩをＰＵＣＣＨで受信し、または、
前記ＢＩと前記ＣＳＩを異なるサブフレームのＰＵＳＣＨで受信し、または、
前記ＢＩをＰＵＣＣＨで受信し、前記ＣＳＩをＰＵＳＣＨで受信し、または、
前記ＣＳＩをＰＵＳＣＨで受信し、前記ＢＩをＰＵＣＣＨで受信する。
【０１８４】
本発明の実施例による別のチャネル状態情報送信方法は、図１１に示すように、下記ステップを含む。
Ｓ１１１において、端末は、基地局から設定されたチャネル測定用のＣＳＩプロセス中の異なる参照信号伝送用リソースに異なるアンテナポート数を有すると決定する。
Ｓ１１２において、前記端末は、予め設定されたレポート順に、異なる参照信号伝送用リソースで測定して得たチャネル状態情報ＣＳＩを順に送信する。
【０１８５】
本発明の実施例において、前記端末は、予め設定されたレポート順に、参照信号伝送用リソース毎に測定して得たＣＳＩを順に送信する。基地局は、端末のレポート順を予め知ることができるため、端末から毎回送信したＲＩに対応するビット数を順に決定することができる。さらに、基地局は、ＲＩに対応するビット数に基づいて、端末から送信されたＣＳＩの復号を行うことによって、端末で測定して得たＲＩを得ることができる。
【０１８６】
選択可能に、当該方法において、前記端末が、測定して得た参照信号伝送用リソースの番号指標であるＢＩを送信することをさらに含む。
【０１８７】
具体的に、前記端末は、毎回の送信において、測定して得た参照信号伝送用リソースの番号指標であるＢＩをさらに送信する。
【０１８８】
選択可能に、前記端末は、前記ＢＩと前記ＣＳＩを毎回送信する際に、
第１サブフレームで前記ＢＩを送信し、前記第１サブフレーム後の第２サブフレームで前記ＣＳＩを送信し、または、
独自符号化方式で符号化される前記ＢＩと前記ＣＳＩを同一のサブフレームで送信する。
【０１８９】
上記いずれの実施例に基づいて、前記端末は、前記ＢＩと前記ＣＳＩを毎回送信する際に、
前記ＢＩと前記ＣＳＩをＰＵＣＣＨで送信し、または、
前記ＢＩと前記ＣＳＩを異なるサブフレームのＰＵＳＣＨで送信し、または、
前記ＢＩをＰＵＣＣＨで送信し、前記ＣＳＩをＰＵＳＣＨで送信し、または、
前記ＣＳＩをＰＵＳＣＨで送信し、前記ＢＩをＰＵＣＣＨで送信する。
【０１９０】
同一の発明思想に基づいて、本発明の実施例は、図１１に示す送信方法に対応するチャネル状態情報受信方法を提供し、図１２に示すように、下記ステップを含む。
Ｓ１２１において、基地局は、前記端末に設定するチャネル測定用のＣＳＩプロセス中の異なる参照信号伝送用リソースに異なるアンテナポート数を有すると決定する。
Ｓ１２２において、前記基地局は、予め設定されたレポート順に、参照信号伝送用リソース毎に対応するＲＩのビット数を決定し、前記ＲＩのビット数に基づいて、当該参照信号伝送用リソースに対応するＣＳＩの復号を行う。
【０１９１】
選択可能に、当該方法において、前記基地局が、前記端末で測定して得た参照信号伝送用リソースの番号指標であるＢＩを前記端末から受信することをさらに含む。
【０１９２】
選択可能に、前記基地局は、前記ＢＩと前記ＣＳＩを毎回受信する際に、
第１サブフレームで前記ＢＩを受信し、前記第１サブフレーム後の第２サブフレームで前記ＣＳＩを受信し、または、
独自符号化方式で符号化される前記ＢＩと前記ＣＳＩを同一のサブフレームで受信する。
【０１９３】
上記いずれの実施例に基づいて、前記基地局は、前記ＢＩと前記ＣＳＩを毎回受信する際に、
前記ＢＩと前記ＣＳＩをＰＵＣＣＨで受信し、または、
前記ＢＩと前記ＣＳＩを異なるサブフレームのＰＵＳＣＨで受信し、または、
前記ＢＩをＰＵＣＣＨで受信し、前記ＣＳＩをＰＵＳＣＨで受信し、または、
前記ＣＳＩをＰＵＳＣＨで受信し、前記ＢＩをＰＵＣＣＨで受信する。
【０１９４】
なお、上記方法以外、本発明の実施例は、さらに下記手段を提供する。
すなわち、端末は、基地局から設定されたチャネル測定用のＣＳＩプロセス中の異なる参照信号伝送用リソースに異なるアンテナポート数を有すると決定した後に、参照信号伝送用リソース毎に測定するが、測定して得たＣＳＩを送信しない。
または、端末は、基地局から設定されたチャネル測定用のＣＳＩプロセス中の異なる参照信号伝送用リソースに異なるアンテナポート数を有すると決定した後に、リソース毎にチャネル状態情報の測定を行って、測定して得たＣＳＩを送信する。
【０１９５】
選択可能に、前記端末は、測定して得たＣＳＩを送信する際に、前記端末で測定して得た参照信号伝送用リソースの番号指標であるＢＩをさらに送信する。
【０１９６】
上記方法の処理フローは、記憶媒体に記憶されるソフトウェアプログラムによって実現される。記憶されるソフトウェアプログラムが呼び出されると、上記方法のステップが実行される。
【０１９７】
同一の発明思想に基づいて、本発明の実施例は、チャネル状態情報送信装置を提供する。当該装置の問題を解決する原理が上記図３に示すチャネル状態情報送信方法に類似するため、当該装置の実施について、方法の実施を参照されたく、繰り返して記載しない。
【０１９８】
本発明の実施例のチャネル状態情報送信装置は、図１３に示すように、
測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定するための決定モジュール１３１と、
前記第１ビット数に基づいて、測定して得たＲＩと前記ＢＩの統合符号化を行って符号化情報を得、前記符号化情報を送信するための符号化モジュール１３２と、を含む。
【０１９９】
選択可能な実現方式として、決定モジュール１３１は、具体的に、すべての参照信号伝送用リソースに対応するＲＩのビット数を決定し、異なる参照信号伝送用リソースに対応するＲＩのビット数の最大値に基づいて、前記ＲＩの符号化に使用される第２ビット数を決定し、前記第２ビット数と前記ＢＩに対応するビット数に基づいて、前記第１ビット数を決定する。
【０２００】
選択可能に、決定モジュール１３１は、具体的に、参照信号伝送用リソース毎に対応するアンテナポート数に基づいて、参照信号伝送用リソース毎に対応するＲＩのビット数を決定し、または、参照信号伝送用リソース毎に対応するアンテナポート数と前記決定モジュールが属する装置の対応可能な最大ストリーム数のうちの最小値に基づいて、参照信号伝送用リソース毎に対応するＲＩのビット数を決定する。
【０２０１】
選択可能に、符号化モジュール１３２は、具体的に、測定して得た参照信号伝送用リソースに対応するＲＩのビット数が前記第２ビット数より小さいと決定される場合、所定のビットスタッフィングルールに基づいて、測定して得た参照信号伝送用リソースに対応するＲＩにビットスタッフィングを行い、前記第１ビット数に基づいて、ビットスタッフィング後のＲＩと前記ＢＩの統合符号化を行う。
【０２０２】
別の選択可能な実現方式として、決定モジュール１３１は、具体的に、すべての参照信号伝送用リソースに対応するＲＩの取り得る値の総数を決定し、すべての参照信号伝送用リソースに対応するＲＩの取り得る値の総数に基づいて、前記第１ビット数を決定する。
【０２０３】
選択可能に、決定モジュール１３１は、具体的に、すべての参照信号伝送用リソースに対応するアンテナポートの総数を、すべての参照信号伝送用リソースに対応するＲＩの取り得る値の総数として決定し、または、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定する。
【０２０４】
選択可能に、決定モジュール１３１によって決定された前記第１ビット数は、
【数３７】
2018534856.tif 000040
である。
【０２０５】
同一の発明思想に基づいて、本発明の実施例は、チャネル状態情報受信装置を提供する。当該装置の問題を解決する原理が上記図５に示すチャネル状態情報受信方法に類似するため、当該装置の実施について、方法の実施を参照されたく、繰り返して記載しない。
【０２０６】
本発明の実施例のチャネル状態情報の受信装置は、図１４に示すように、
端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定するための処理モジュール１４１と、
前記第１ビット数に基づいて、前記端末から送信された符号化情報の統合復号を行い、前記端末で測定して得た参照信号伝送用のリソースに対応するＲＩを得るための復号モジュール１４２と、を含む。
【０２０７】
実施に際し、選択可能な実現方式として、処理モジュール１４１は、具体的に、
すべての参照信号伝送用リソースに対応するＲＩのビット数を決定し、
異なる参照信号伝送用リソースに対応するＲＩのビット数の最大値に基づいて、前記ＲＩの符号化に使用される第２ビット数を決定し、
前記第２ビット数と前記ＢＩに対応するビット数に基づいて、前記第１ビット数を決定する。
【０２０８】
選択可能に、処理モジュール１４１は、具体的に、
参照信号伝送用リソース毎に対応するアンテナポート数に基づいて、参照信号伝送用リソース毎に対応するＲＩのビット数を決定し、または、
参照信号伝送用リソース毎に対応するアンテナポート数と前記端末の対応可能な最大ストリーム数のうちの最小値に基づいて、参照信号伝送用リソース毎に対応するＲＩのビット数を決定する。
【０２０９】
当該方式において、復号モジュール１４２は、具体的に、
前記第１ビット数に基づいて、前記端末から送信された符号化情報の統合復号を行ってＢＩとＲＩを得、
前記ＢＩに基づいて、前記端末で測定して得た参照信号伝送用リソースに対応するＲＩのビット数が前記第２ビット数より小さいと決定し、
前記ＲＩと所定のビットスタッフィングルールに基づいて、前記端末で測定して得た参照信号伝送用リソースに対応するＲＩを得る。
【０２１０】
別の選択可能な実現方式として、処理モジュール１４１は、具体的に、
すべての参照信号伝送用リソースに対応するＲＩの取り得る値の総数を決定し、
すべての参照信号伝送用リソースに対応するＲＩの取り得る値の総数に基づいて、前記第１ビット数を決定する。
【０２１１】
選択可能に、処理モジュール１４１は、具体的に、
すべての参照信号伝送用リソースに対応するアンテナポートの総数を、すべての参照信号伝送用リソースに対応するＲＩの取り得る値の総数として決定し、または、
参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定する。
【０２１２】
選択可能に、処理モジュール１４１によって決定された前記第１ビット数は、
【数３８】
2018534856.tif 000041
である。
【０２１３】
同一の発明思想に基づいて、本発明の実施例は、チャネル状態情報送信装置を提供する。当該装置の問題を解決する原理が上記図６に示すチャネル状態情報送信方法に類似するため、当該装置の実施について、方法の実施を参照されたく、繰り返して記載しない。
【０２１４】
本発明の実施例による別のチャネル状態情報の送信装置は、図１５に示すように、
測定して得た参照信号伝送用リソースの番号指標であるＢＩと、参照信号伝送用リソースを測定して得たＲＩのビット総数を決定するための決定モジュール１５１と、
前記ビット総数に基づいて、前記ＲＩと前記ＢＩの統合符号化を行って符号化情報を得るための符号化モジュール１５２と、
前記ＢＩと前記ＲＩのビット総数を示す指標情報と前記符号化情報を送信するための送信モジュール１５３と、を含む。
【０２１５】
実施に際し、選択可能な実現方式として、決定モジュール１５１は、上記方式Ａと方式Ｂに基づいて、ＢＩと参照信号伝送用リソースを測定して得たＲＩのビット総数を決定する。
【０２１６】
別の選択可能な実現方式として、決定モジュール１５１は、具体的に、前記端末の対応可能な最大ストリーム数と測定した参照信号伝送用リソースに対応するアンテナポート数のうちの最小値に基づいて、前記ＲＩに対応するビット数を決定し、前記ＲＩに対応するビット数とＢＩに対応するビット数に基づいて、前記ビット総数を決定する。
【０２１７】
選択可能に、前記指標情報のビット数は、
【数３９】
2018534856.tif 000042
、または、
【数４０】
2018534856.tif 000043
、または、
【数４１】
2018534856.tif 000044
、または、
【数４２】
2018534856.tif 000045
、または、
【数４３】
2018534856.tif 000046
である。
【０２１８】
実施に際し、送信モジュール１５３は、具体的に、
第１サブフレームで前記指標情報を送信し、前記第１サブフレーム後の第２サブフレームで前記符号化情報を送信し、または、
前記指標情報と前記符号化情報を同一のサブフレームで独自符号化方式で送信する。
【０２１９】
上記いずれの実施例に基づいて、送信モジュール１５３は、具体的に、
前記指標情報と前記符号化情報をＰＵＣＣＨで送信し、または、
前記指標情報と前記符号化情報を異なるサブフレームのＰＵＳＣＨで送信し、または、
前記指標情報をＰＵＣＣＨで送信し、前記符号化情報をＰＵＳＣＨで送信し、または、
前記指標情報をＰＵＳＣＨで送信し、前記符号化情報をＰＵＣＣＨで送信する。
【０２２０】
同一の発明思想に基づいて、本発明の実施例は、チャネル状態情報受信装置を提供する。当該装置の問題を解決する原理が上記図８に示すチャネル状態情報受信方法に類似するため、当該装置の実施について、方法の実施を参照されたく、繰り返して記載しない。
【０２２１】
本発明の実施例による別のチャネル状態情報受信装置は、図１６に示すように、
前記端末で測定して得た参照信号伝送用リソースの番号指標であるＢＩと、参照信号伝送用リソースを測定して得たＲＩのビット総数を示す指標情報と符号化情報を受信するための受信モジュール１６１と、
前記指標情報で示すビット総数に基づいて、前記符号化情報の統合復号を行って前記ＲＩと前記ＢＩを得るための復号モジュール１６２と、を含む。
【０２２２】
実施に際し、受信モジュール１６１は、具体的に、
前記指標情報を第１サブフレームで受信し、前記符号化情報を前記第１サブフレーム後の第２サブフレームで受信し、または、
独自符号化方式で符号化される前記指標情報と前記符号化情報を同一のサブフレームで受信する。
【０２２３】
上記いずれの実施例に基づいて、受信モジュール１６１は、具体的に、
前記指標情報と前記符号化情報をＰＵＣＣＨで受信し、または、
前記指標情報と前記符号化情報を異なるサブフレームのＰＵＳＣＨで受信し、または、
前記指標情報をＰＵＣＣＨで受信し、前記符号化情報をＰＵＳＣＨで受信し、または、
前記指標情報をＰＵＳＣＨで受信し、前記符号化情報をＰＵＣＣＨで受信する。
【０２２４】
同一の発明思想に基づいて、本発明の実施例は、別のチャネル状態情報送信装置を提供する。当該装置の問題を解決する原理が上記図９に示すチャネル状態情報送信方法に類似するため、当該装置の実施について、方法の実施を参照されたく、繰り返して記載しない。
【０２２５】
本発明の実施例による別のチャネル状態情報送信装置は、図１７に示すように、
基地局から設定されたチャネル測定用のＣＳＩプロセス中の異なる参照信号伝送用リソースに異なるアンテナポート数を有すると決定するための決定モジュール１７１と、
予め指定された参照信号伝送用リソースの測定を行うための測定モジュール１７２と、
測定して得たＣＳＩを送信するための送信モジュール１７３と、を含む。
【０２２６】
選択可能に、送信モジュール１７３は、測定して得た参照信号伝送用リソースの番号指標であるＢＩをさらに送信する。
【０２２７】
選択可能に、送信モジュール１７３は、具体的に、
第１サブフレームで前記ＢＩを送信し、前記第１サブフレーム後の第２サブフレームで前記ＣＳＩを受信し、または、
独自符号化方式で符号化される前記ＢＩと前記ＣＳＩを同一のサブフレームで送信する。
【０２２８】
上記いずれの実施例に基づいて、送信モジュール１７１は、具体的に、
前記ＢＩと前記ＣＳＩをＰＵＣＣＨで送信し、または、
前記ＢＩと前記ＣＳＩを異なるサブフレームのＰＵＳＣＨで送信し、または、
前記ＢＩをＰＵＣＣＨで送信し、前記ＣＳＩをＰＵＳＣＨで送信し、または、
前記ＣＳＩをＰＵＳＣＨで送信し、前記ＢＩをＰＵＣＣＨで送信する。
【０２２９】
同一の発明思想に基づいて、本発明の実施例は、別のチャネル状態情報受信装置を提供する。当該装置の問題を解決する原理が上記図１０に示すチャネル状態情報受信方法に類似するため、当該装置の実施について、方法の実施を参照されたく、繰り返して記載しない。
【０２３０】
本発明の実施例による別のチャネル状態情報受信装置は、図１８に示すように、
前記端末から送信されるＣＳＩを受信するための受信モジュール１８１と、
前記端末に設定するチャネル測定用のＣＳＩプロセス中の異なるアンテナポート数を有すると決定するための決定モジュール１８２と、
予め設定された参照信号伝送用リソースに対応するＲＩのビット数を決定し、前記ＲＩのビット数に基づいて、受信モジュール１８１で受信したＣＳＩの復号を行って、前記端末で測定して得たＣＳＩを得るための復号モジュール１８３と、を含む。
【０２３１】
選択可能に、受信モジュール１８１は、前記端末で測定して得た参照信号伝送用リソースの番号指標であるＢＩをさらに前記端末から受信する。
【０２３２】
選択可能に、受信モジュール１８１は、具体的に、
第１サブフレームで前記ＢＩを受信し、前記第１サブフレーム後の第２サブフレームで前記ＣＳＩを受信し、または、
独自符号化方式で符号化される前記ＢＩと前記ＣＳＩを同一のサブフレームで受信する。
【０２３３】
上記いずれの実施例に基づいて、受信モジュール１８１は、具体的に、
前記ＢＩと前記ＣＳＩをＰＵＣＣＨで受信し、または、
前記ＢＩと前記ＣＳＩを異なるサブフレームのＰＵＳＣＨで受信し、または、
前記ＢＩをＰＵＣＣＨで受信し、前記ＣＳＩをＰＵＳＣＨで受信し、または、
前記ＣＳＩをＰＵＳＣＨで受信し、前記ＢＩをＰＵＣＣＨで受信する。
【０２３４】
同一の発明思想に基づいて、本発明の実施例は、別のチャネル状態情報送信装置を提供する。当該装置の問題を解決する原理が上記図１１に示すチャネル状態情報送信方法に類似するため、当該装置の実施について、方法の実施を参照されたく、繰り返して記載しない。
【０２３５】
本発明の実施例による別のチャネル状態情報送信装置は、図１９に示すように、
基地局から設定されたチャネル測定用のＣＳＩプロセス中の異なる参照信号伝送用リソースに異なるアンテナポート数を有すると決定するための決定モジュール１９１と、
予め設定されたレポート順に、異なる参照信号伝送用リソースで測定して得たチャネル状態情報ＣＳＩを順に送信するための送信モジュール１９２と、を含む。
【０２３６】
選択可能に、送信モジュール１９２は、測定して得た参照信号伝送用リソースの番号指標であるＢＩをさらに送信する。
【０２３７】
選択可能に、送信モジュール１９２は、具体的に、
第１サブフレームで前記ＢＩを送信し、前記第１サブフレーム後の第２サブフレームで前記ＣＳＩを送信し、または、
独自符号化方式で符号化される前記ＢＩと前記ＣＳＩを同一のサブフレームで送信する。
【０２３８】
上記いずれの実施例に基づいて、送信モジュール１９２は、具体的に、
前記ＢＩと前記ＣＳＩをＰＵＣＣＨで送信し、または、
前記ＢＩと前記ＣＳＩを異なるサブフレームのＰＵＳＣＨで送信し、または、
前記ＢＩをＰＵＣＣＨで送信し、前記ＣＳＩをＰＵＳＣＨで送信し、または、
前記ＣＳＩをＰＵＳＣＨで送信し、前記ＢＩをＰＵＣＣＨで送信する。
【０２３９】
同一の発明思想に基づいて、本発明の実施例は、別のチャネル状態情報受信装置を提供する。当該装置の問題を解決する原理が上記図１２に示すチャネル状態情報受信方法に類似するため、当該装置の実施について、方法の実施を参照されたく、繰り返して記載しない。
【０２４０】
本発明の実施例による別のチャネル状態情報受信装置は、図２０に示すように、
端末が異なる参照信号伝送用リソースを測定して得たＣＳＩを順に受信するための受信モジュール２０１と、
前記端末に設定するチャネル測定用のＣＳＩプロセス中の異なるアンテナポート数を有すると決定するための決定モジュール２０２と、
予め設定されたレポート順に、参照信号伝送用リソース毎に対応するＲＩのビット数を決定し、前記ＲＩのビット数に基づいて、当該参照信号伝送用リソースに対応するＣＳＩの復号を行うための復号モジュール２０３と、を含む。
【０２４１】
選択可能に、受信モジュール２０１は、前記端末で測定して得た参照信号伝送用リソースの番号指標であるＢＩをさらに前記端末から受信する。
【０２４２】
選択可能に、受信モジュール２０１は、具体的に、
第１サブフレームで前記ＢＩを受信し、前記第１サブフレーム後の第２サブフレームで前記ＣＳＩを受信し、または、
独自符号化方式で符号化される前記ＢＩと前記ＣＳＩを同一のサブフレームで受信する。
【０２４３】
上記いずれの実施例に基づいて、受信モジュール２０１は、具体的に、
前記ＢＩと前記ＣＳＩをＰＵＣＣＨで受信し、または、
前記ＢＩと前記ＣＳＩを異なるサブフレームのＰＵＳＣＨで受信し、または、
前記ＢＩをＰＵＣＣＨで受信し、前記ＣＳＩをＰＵＳＣＨで受信し、または、
前記ＣＳＩをＰＵＳＣＨで受信し、前記ＢＩをＰＵＣＣＨで受信する。
【０２４４】
以下、好適なハードウェア構造にて、端末を例として、本発明の実施例によるチャネル状態情報送信装置の構造、処理方式を説明する。
【０２４５】
図２１の実施例において、端末は、トランシーバ２１１および当該トランシーバ２１１に接続される少なくとも１つのプロセッサ２１２を含む。
【０２４６】
選択可能な第１実現方式として、プロセッサ２１２は、メモリ２１３からプログラムを読み取ってＳ３１とＳ３２を実行し、トランシーバ２１１は、プロセッサ２１２による制御でデータの送受信を行う。
【０２４７】
選択可能な第２実現方式として、プロセッサ２１２は、メモリ２１３からプログラムを読み取ってＳ６１とＳ６２を実行し、トランシーバ２１１は、プロセッサ２１２による制御でデータの送受信を行う。
【０２４８】
選択可能な第３実現方式として、プロセッサ２１２は、メモリ２１３からプログラムを読み取ってＳ９１とＳ９２を実行し、トランシーバ２１１は、プロセッサ２１２による制御でデータの送受信を行う。
【０２４９】
選択可能な第４実現方式として、プロセッサ２１２は、メモリ２１３からプログラムを読み取ってＳ１１１とＳ１１２を実行し、トランシーバ２１１は、プロセッサ２１２による制御でデータの送受信を行う。
【０２５０】
ここで、図２１において、バスアーキテクチャは、任意数の相互接続するバスとブリッジを含み、具体的に、プロセッサ２１２をはじめとする１つ又は複数のプロセッサとメモリ２１３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２１１は、複数の部品であってもよく、即ち送信機と受信機を含み、伝送媒体でほかの各種類の装置と通信するユニットとして提供される。ユーザ端末によっては、ユーザインタフェース２１４は、内部接続や外部接続する機器のインタフェースであってもよい。接続する機器は、キーパッド、ディスプレイ、スピーカ、マイクロフォン、ジョイスティックなどを含むが、それらに限られない。
【０２５１】
プロセッサ２１２は、バスアーキテクチャと通常の処理を管理する。メモリ２１３は、プロセッサ２１２による操作実行時に使用されるデータを記憶できる。
【０２５２】
以下、好適なハードウェア構造にて、基地局を例として、本発明の実施例によるチャネル状態情報受信装置の構造、処理方式を説明する。
【０２５３】
図２２の実施例において、基地局は、トランシーバ２２１および当該トランシーバ２２１に接続される少なくとも１つのプロセッサ２２２を含む。
【０２５４】
選択可能な第１実現方式として、プロセッサ２２２は、メモリ２２３からプログラムを読み取って上記Ｓ５１とＳ５２を実行し、トランシーバ２２１は、プロセッサ２２２による制御でデータの送受信を行う。
【０２５５】
選択可能な第２実現方式として、プロセッサ２２２は、メモリ２２３からプログラムを読み取って上記Ｓ８１とＳ８２を実行し、トランシーバ２２１は、プロセッサ２２２による制御でデータの送受信を行う。
【０２５６】
選択可能な第３実現方式として、プロセッサ２２２は、メモリ２２３からプログラムを読み取って上記Ｓ１０１とＳ１０２を実行し、トランシーバ２２１は、プロセッサ２２２による制御でデータの送受信を行う。
【０２５７】
選択可能な第４実現方式として、プロセッサ２２２は、メモリ２２３からプログラムを読み取って上記Ｓ１２１とＳ１２２を実行し、トランシーバ２２１は、プロセッサ２２２による制御でデータの送受信を行う。
【０２５８】
ここで、図２２において、バスアーキテクチャは、任意数の相互接続するバスとブリッジを含み、具体的に、プロセッサ２２２をはじめとする１つ又は複数のプロセッサとメモリ２２３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２２１は、複数の部品であってもよく、即ち送信機と受信機を含み、伝送媒体でほかの各種類の装置と通信するユニットとして提供される。プロセッサ２２２は、バスアーキテクチャと通常の処理を管理する。メモリ２２３は、プロセッサ２２２による操作実行時に使用されるデータを記憶できる。
【０２５９】
本発明の実施例は、方法、システム、又はコンピュータプログラムプロダクトとして提供されうると当業者が理解できる。従って、本発明は、完全にハードウェアの実施例、完全にソフトウェアの実施例、又はソフトウェアとハードウェアを組み合わせた実施例の形態を取り得る。しかも、本発明は、コンピュータ利用可能なプログラムコードを含む１つ又は複数のコンピュータ利用可能な記憶媒体（磁気ディスクメモリ、ＣＤ−ＲＯＭ、光学メモリなどを含むが、それらに限らない）で実施されるコンピュータプログラムプロダクトの形態を取り得る。
【０２６０】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フロー図の１つ又は複数のフロー及び／又はブロック図の１つ又は複数のブロックで指定される機能を実現するための装置を形成する。
【０２６１】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０２６２】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０２６３】
本発明の好適な実施例を記載したが、当業者は、基本的な創造性概念を一旦知ると、これらの実施例に対し別の変更や修正をすることができる。従って、添付の特許請求の範囲は、好適な実施例及び本発明の範囲に入る全ての変更や修正を含むことを意図する。
【０２６４】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図する。
【図１Ａ】
2018534856.tif 000051
【図１Ｂ】
2018534856.tif 000052
【図１Ｃ】
2018534856.tif 000053
【図１Ｄ】
2018534856.tif 000054
【図２】
2018534856.tif 000055
【図３】
2018534856.tif 000056
【図４Ａ】
2018534856.tif 000057
【図４Ｂ】
2018534856.tif 000058
【図５】
2018534856.tif 000059
【図６】
2018534856.tif 000060
【図７Ａ】
2018534856.tif 000061
【図７Ｂ】
2018534856.tif 000062
【図８】
2018534856.tif 000063
【図９】
2018534856.tif 000064
【図１０】
2018534856.tif 000065
【図１１】
2018534856.tif 000066
【図１２】
2018534856.tif 000067
【図１３】
2018534856.tif 000068
【図１４】
2018534856.tif 000069
【図１５】
2018534856.tif 000070
【図１６】
2018534856.tif 000071
【図１７】
2018534856.tif 000072
【図１８】
2018534856.tif 000073
【図１９】
2018534856.tif 000074
【図２０】
2018534856.tif 000075
【図２１】
2018534856.tif 000076
【図２２】
2018534856.tif 000077
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
端末が、測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定することと、  前記端末が、前記第１ビット数に基づいて、測定して得たＲＩと前記ＢＩの統合符号化を行って符号化情報を得、前記符号化情報を送信することと、を含むチャネル状態情報ＣＳＩの送信方法。
【請求項２】
前記端末がビーム指標ＢＩとランク指標ＲＩの統合符号化に使用される第１ビット数を決定することは、  前記端末が、すべての参照信号伝送用リソースに対応するＲＩのビット数を決定することと、  前記端末が、異なる参照信号伝送用リソースに対応するＲＩのビット数の最大値に基づいて、前記ＲＩの符号化に使用される第２ビット数を決定することと、  前記端末が、前記第２ビット数とＢＩに対応するビット数に基づいて、前記第１ビット数を決定することと、を含む請求項１に記載の方法。
【請求項３】
前記端末がすべての参照信号伝送用リソースに対応するＲＩのビット数を決定することは、  前記端末が、参照信号伝送用リソース毎に対応するアンテナポート数に基づいて、参照信号伝送用リソース毎に対応するＲＩのビット数を決定すること、または、  前記端末が、参照信号伝送用リソース毎に対応するアンテナポート数と前記端末の対応可能な最大ストリーム数のうちの最小値に基づいて、参照信号伝送用リソース毎に対応するＲＩのビット数を決定すること、を含む請求項２に記載の方法。
【請求項４】
前記端末が、測定して得た参照信号伝送用リソースに対応するＲＩのビット数が前記第２ビット数より小さいと決定した場合、所定のビットスタッフィングルールに基づいて、測定して得た参照信号伝送用リソースに対応するＲＩにビットスタッフィングを行うことをさらに含み、  前記端末が、前記第１ビット数に基づいて、測定して得たＲＩと前記ＢＩの統合符号化を行うことは、  前記端末が、前記第１ビット数に基づいて、ビットスタッフィング後のＲＩと前記ＢＩの統合符号化を行うことを含む請求項２または３に記載の方法。
【請求項５】
前記端末がビーム指標ＢＩとランク指標ＲＩの統合符号化に使用される第１ビット数を決定することは、  前記端末が、すべての参照信号伝送用リソースに対応するＲＩの取り得る値の総数を決定することと、  前記端末が、すべての参照信号伝送用リソースに対応するＲＩの取り得る値の総数に基づいて、前記第１ビット数を決定することと、を含む請求項１〜４のいずれか一項に記載の方法。
【請求項６】
前記端末が、すべての参照信号伝送用リソースに対応するＲＩの取り得る値の総数を決定することは、  前記端末が、すべての参照信号伝送用リソースに対応するアンテナポートの総数を、すべての参照信号伝送用リソースに対応するＲＩの取り得る値の総数として決定すること、または、  前記端末が、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定すること、を含む請求項５に記載の方法。
【請求項７】
前記端末によって決定された前記第１ビット数は、【数１】
2018534856.tif 000078
である請求項６に記載の方法。
【請求項８】
基地局が、前記端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定することと、  前記基地局が、前記第１ビット数に基づいて、前記端末から送信された符号化情報の統合復号を行い、前記端末で測定して得た参照信号伝送用リソースに対応するＲＩを得ることと、を含むチャネル状態情報ＣＳＩの受信方法。
【請求項９】
前記基地局がビーム指標ＢＩとランク指標ＲＩの統合符号化に使用される第１ビット数を決定することは、  前記基地局が、すべての参照信号伝送用リソースに対応するＲＩのビット数を決定することと、  前記基地局が、異なる参照信号伝送用リソースに対応するＲＩのビット数の最大値に基づいて、前記ＲＩの符号化に使用される第２ビット数を決定することと、  前記基地局が、前記第２ビット数とＢＩに対応するビット数に基づいて、前記第１ビット数を決定することと、を含む請求項８に記載の方法。
【請求項１０】
前記基地局がすべての参照信号伝送用リソースに対応するＲＩのビット数を決定することは、  前記基地局が、参照信号伝送用リソース毎に対応するアンテナポート数に基づいて、参照信号伝送用リソース毎に対応するＲＩのビット数を決定すること、または、  前記基地局が、参照信号伝送用リソース毎に対応するアンテナポート数と前記端末の対応可能な最大ストリーム数のうちの最小値に基づいて、参照信号伝送用リソース毎に対応するＲＩのビット数を決定すること、を含む請求項９に記載の方法。
【請求項１１】
前記基地局が、前記第１ビット数に基づいて、前記端末から送信された符号化情報の統合復号を行い、前記端末で測定して得た参照信号伝送用リソースに対応するＲＩを得ることは、  前記基地局が、前記第１ビット数に基づいて、前記端末から送信された符号化情報の統合復号を行い、ＢＩとＲＩを得ることと、  前記基地局が、前記ＢＩに基づいて、前記端末で測定して得た参照信号伝送用リソースに対応するＲＩのビット数が前記第２ビット数より小さいと決定することと、  前記基地局が、前記ＲＩと所定のビットスタッフィングルールに基づいて、前記端末で測定して得た参照信号伝送用リソースに対応するＲＩを得ることと、を含む請求項９または１０に記載の方法。
【請求項１２】
前記基地局がビーム指標ＢＩとランク指標ＲＩの統合符号化に使用される第１ビット数を決定することは、  前記基地局が、すべての参照信号伝送用リソースに対応するＲＩの取り得る値の総数を決定することと、  前記基地局が、すべての参照信号伝送用リソースに対応するＲＩの取り得る値の総数に基づいて、前記第１ビット数を決定することと、を含む請求項８〜１１のいずれか一項に記載の方法。
【請求項１３】
前記基地局が、すべての参照信号伝送用リソースに対応するＲＩの取り得る値の総数を決定することは、  前記基地局が、すべての参照信号伝送用リソースに対応するアンテナポートの総数を、すべての参照信号伝送用リソースに対応するＲＩの取り得る値の総数として決定すること、または、  前記基地局が、参照信号伝送用リソース毎に対応するアンテナポートの数と前記端末の対応可能な最大ストリーム数のうちの最小値を決定し、決定したすべての最小値の和を、すべての参照信号伝送用リソースに対応するＲＩの取り得る値の総数として決定すること、を含む請求項１２に記載の方法。
【請求項１４】
前記基地局によって決定された前記第１ビット数は、【数２】
2018534856.tif 000079
である請求項１３に記載の方法。
【請求項１５】
測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定するための決定モジュールと、  前記第１ビット数に基づいて、測定して得たＲＩと前記ＢＩの統合符号化を行って符号化情報を得、前記符号化情報を送信するための符号化モジュールと、を含むチャネル状態情報ＣＳＩの送信装置。
【請求項１６】
前記端末で測定して得たランク指標ＲＩに対応する参照信号伝送用リソースの番号指標であるビーム指標ＢＩとＲＩの統合符号化に使用され、異なる参照信号伝送用リソースに対応するＲＩと前記ＢＩの統合符号化に同一のものが使用される第１ビット数を決定するための処理モジュールと、  前記第１ビット数に基づいて、前記端末から送信された符号化情報の統合復号を行い、前記端末で測定して得た参照信号伝送用のリソースに対応するＲＩを得るための復号モジュールと、を含むチャネル状態情報ＣＳＩの受信装置。
【国際調査報告】
2018534856.tif 000080
2018534856.tif 000081
2018534856.tif 000082
2018534856.tif 000083